(57)【要約】いくつかの例において、ユーザー機器（ｕｓｅｒ  ｅｑｕｉｐｍｅｎｔ；ＵＥ）は、第５世代（ｆｉｆｔｈ  ｇｅｎｅｒａｔｉｏｎ；５Ｇ）コアネットワークに登録される。緊急表示に応答して、ＵＥは、緊急表示に応答する呼出を意図された第１のドメインを選択する。第１のドメインを選択した後に、ＵＥは、５Ｇコアネットワークとは異なる第２のコアネットワークへの組み合わせ登録を試行する。組み合わせ登録を試行することに応答して、ＵＥは、ＵＥがパケット交換サービスについて登録されているが回線交換サービスについて登録されていないというさらなる表示を受信する。さらなる表示に応答して、ＵＥは、第３のコアネットワークに接続されたアクセスネットワークを選択して、呼出を実施する。
2021528886.tif 000002
【特許請求の範囲】
【請求項１】
第５世代（５Ｇ）コアネットワークに登録されたユーザー機器（ＵＥ）の方法であって、前記方法は、
緊急表示に応答して、前記緊急表示に応答する呼出を意図された第１のドメインを選択することと、
前記第１のドメインを選択した後に、前記５Ｇコアネットワークとは異なる第２のコアネットワークへの組み合わせ登録を試行することと、
前記組み合わせ登録を試行することに応答して、前記ＵＥがパケット交換サービスのみについて登録されているというさらなる表示を受信することと、
前記さらなる表示に応答して、第３のコアネットワークに接続されたアクセスネットワークを選択し、前記呼出を実施することと
を含む、方法。
【請求項２】
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、請求項１に記載の方法。
【請求項３】
前記さらなる表示は、前記ＵＥが前記第２のコアネットワークに登録されることに成功したことを表示するメッセージを含む、請求項１に記載の方法。
【請求項４】
前記第３のコアネットワークに接続された前記アクセスネットワークを選択することは、前記第１のドメインへのフォールバックを使用することを回避する、請求項１に記載の方法。
【請求項５】
前記第２のコアネットワークは、パケット交換サービスまたは前記第１のドメインへのフォールバックのうちの少なくとも１つを提供する、請求項１に記載の方法。
【請求項６】
前記第１のドメインは、パケット交換ドメインであり、
前記ＵＥは、前記第２のコアネットワークが緊急（ベアラ）サービス（単数または複数）をサポートしないということを判定し、
前記ＵＥは、前記第３のコアネットワークの回線交換ドメインを使用して、前記呼出を実施する、請求項１に記載の方法。
【請求項７】
前記第１のドメインは、回線交換ドメインである、請求項１に記載の方法。
【請求項８】
前記選択されたアクセスネットワークは、前記第１のドメインへのアクセスを提供する、請求項１に記載の方法。
【請求項９】
前記さらなる表示は、前記第２のコアネットワークのコアネットワークノードから受信される、請求項１に記載の方法。
【請求項１０】
前記ＵＥは、前記５Ｇコアネットワークのアクセスおよび移動性管理機能（ＡＭＦ）に登録される、請求項１に記載の方法。
【請求項１１】
前記選択されたアクセスネットワークは、ユニバーサル移動通信サービス（ＵＭＴＳ）地上波無線アクセスネットワーク（ＵＴＲＡＮ）、またはＧＳＭ（登録商標）進化用ＧＳＭ（登録商標）向上データ速度（ＧＳＭ  ＥＤＧＥ）無線アクセスネットワーク（ＧＥＲＡＮ）を含む、請求項１に記載の方法。
【請求項１２】
前記ＵＥが、ＳＥＴＵＰメッセージまたはＥＭＥＲＧＥＮＣＹ  ＳＥＴＵＰメッセージを送信することによって、前記呼出を開始することをさらに含み、前記ＳＥＴＵＰメッセージまたは前記ＥＭＥＲＧＥＮＣＹ  ＳＥＴＵＰメッセージは、前記第１のドメインにおける移動交換センター（ＭＳＣ）を使用する前記呼出を表示するためのものである、請求項１に記載の方法。
【請求項１３】
ユーザー機器（ＵＥ）であって、前記ＵＥは、
プロセッサと、
非一時的記憶媒体と
を含み、
前記非一時的記憶媒体は、
緊急表示に応答して、前記緊急表示に応答する呼出を意図された第１のドメインを選択することと、
前記第１のドメインを選択した後に、５Ｇコアネットワークとは異なる第２のコアネットワークへの組み合わせ登録を試行することと、
前記組み合わせ登録を試行することに応答して、前記ＵＥがパケット交換サービスのみについて登録されているというさらなる表示を受信することと、
前記さらなる表示に応答して、第３のコアネットワークに接続されたアクセスネットワークを選択し、前記呼出を実施することと
を前記プロセッサ上において実行可能である、ＵＥ。
【請求項１４】
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、請求項１３に記載のＵＥ。
【請求項１５】
前記さらなる表示は、前記ＵＥが前記第２のコアネットワークに登録されることに成功したことを表示するメッセージを含む、請求項１３に記載のＵＥ。
【請求項１６】
前記第３のコアネットワークに接続された前記アクセスネットワークを選択することは、前記第１のドメインへのフォールバックを使用することを回避する、請求項１３に記載のＵＥ。
【請求項１７】
前記第２のコアネットワークは、パケット交換サービスまたは前記第１のドメインへのフォールバックのうちの少なくとも１つを提供する、請求項１３に記載のＵＥ。
【請求項１８】
前記選択されたアクセスネットワークは、ユニバーサル移動通信サービス（ＵＭＴＳ）地上波無線アクセスネットワーク（ＵＴＲＡＮ）、またはＧＳＭ（登録商標）進化用ＧＳＭ（登録商標）向上データ速度（ＧＳＭ  ＥＤＧＥ）無線アクセスネットワーク（ＧＥＲＡＮ）を含む、請求項１３に記載のＵＥ。
【請求項１９】
命令を含む非一時的機械読取可能な記憶媒体であって、前記命令は、実行されると、ユーザー機器（ＵＥ）に、
緊急表示に応答して、前記緊急表示に応答する呼出を意図された第１のドメインを選択することと、
前記第１のドメインを選択した後に、５Ｇコアネットワークとは異なる第２のコアネットワークへの組み合わせ登録を試行することと、
前記組み合わせ登録を試行することに応答して、前記ＵＥがパケット交換サービスのみについて登録されているというさらなる表示を受信することと、
前記さらなる表示に応答して、第３のコアネットワークに接続されたアクセスネットワークを選択し、前記呼出を実施することと
を行わせる、非一時的機械読取可能な記憶媒体。
【請求項２０】
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、請求項１９に記載の非一時的機械読取可能な記憶媒体。
【発明の詳細な説明】
【背景技術】
【０００１】
移動通信システムは、移動通信システムの無線アクセスネットワークノードを使用して、ユーザー機器（ｕｓｅｒ  ｅｑｕｉｐｍｅｎｔ；ＵＥ）の通信をサポートすることができる。異なる種類の移動通信システムが展開されてきた、または、展開されている。異なる種類の移動通信システムの例は、第５世代（ｆｉｆｔｈ  ｇｅｎｅｒａｔｉｏｎ；５Ｇ）移動通信システム、第４世代（ｆｏｕｒｔｈ  ｇｅｎｅｒａｔｉｏｎ；４Ｇ）移動通信システム、それ以前の世代の移動通信システムなどを含む。アクセスネットワークは、移動通信システムによって提供されるサービスにアクセスするために使用される。異なる種類のアクセスネットワークの例は、無線ローカルエリアネットワーク（ＬＡＮ）、５Ｇアクセスネットワーク、４Ｇアクセスネットワーク、それよりも以前の世代のアクセスネットワークなどを含む。
【発明の概要】
【課題を解決するための手段】
【０００２】
１．はじめに
【０００３】
緊急呼出は、警察署、消防署、沿岸警備隊または海上警備隊、山岳救助機関などの指定された緊急エンティティによって処理されるべき通信セッションを指す。緊急呼出は、ＵＥにおけるユーザーによって、または、ＵＥにおいて作動するアプリケーションプログラムによって、開始され得る。あるいは、緊急呼出は、ユーザーを補助する目的で、または、指定された緊急エンティティによって処理されるべき緊急事態が存在することを他の様態で表示するために、異なるエンティティによって開始されることができる。
【０００４】
緊急呼出は、短時間のうちに処理されなければならず、これは、関連する監督機関、政府機関、または規格機関によって特定されることができる。複数の異なる種類のアクセスネットワークまたは移動通信システムが存在し得る地域において、緊急呼出が、正しいアクセスネットワークまたは移動通信システム（例えば、緊急呼出を実際にサポートする移動通信システム）によって、および／または、正しいドメイン（例えば、例えばＵＥの選好もしくは構成に基づくまたは規則、方針、規格などに基づくパケット交換（ＰＳ）ドメインまたは回線交換（ＣＳ）ドメイン）において、処理されることが重要である。典型的に、ネットワークオペレーターは、正しいドメイン、アクセスネットワーク、または移動通信システムを選択するようにＵＥを構成する。
【０００５】
ＰＳドメインにおいて、緊急呼出などの通信セッションは、パケット交換通信技術を使用して処理され、パケット交換通信技術では、パケットを使用して音声データが搬送され、対応する音声呼出は、ＰＳドメインについてのシグナリングを使用して確立される。一方、ＣＳドメインにおいて、緊急呼出などの通信セッションは、専用回線またはＣＳネットワークを通した通信チャネルを使用して確立され、対応する音声呼出は、ＣＳドメインにおけるシグナリングを使用して確立される。
【０００６】
ＰＳドメインにおいて、音声呼出をセットアップするために使用されるＰＳドメインについてのシグナリングは、セッション開始プロトコル（Ｓｅｓｓｉｏｎ  Ｉｎｉｔｉａｔｉｏｎ  Ｐｒｏｔｏｃｏｌ；ＳＩＰ）に従うことができる。ＳＩＰは、ＩＭ（ＩＰ（インターネットプロトコル）マルチメディア）ＣＮ（コアネットワーク）サブシステム（ＩＭＳ）において使用される。ＳＩＰが音声呼出をセットアップするために使用される場合、ＵＥは、ＳＩＰ  ＩＮＶＩＴＥ要求メッセージをネットワークに送信する。
【０００７】
いくつかの場合において、様々な異なる種類の移動通信システムは、ＵＥの通信セッションをサポートするために、特定の地理的地域において利用可能であり得る。
【０００８】
第５世代（５Ｇ）移動通信システム（「５ＧＳ」という）は、（１）５Ｇコアネットワーク（５ＧＣ）に接続された（５Ｇアクセスである）新しい無線（Ｎｅｗ  Ｒａｄｉｏ；ＮＲ）アクセスと、（２）５ＧＣに接続された進化型ユニバーサル地上波無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；Ｅ−ＵＴＲＡ）とをサポートするアクセスネットワークを含む１つ以上の種類のアクセスネットワークを含むことができる。５ＧＳによって採用される通信プロトコルは、第３世代パートナーシッププロジェクト（３ＧＰＰ）の規格によって管理される。５ＧＣは、５ＧＳの一部である。本開示において、５ＧＣおよび５ＧＳは、時に、同義的に使用される。
【０００９】
５Ｇアクセスネットワークは、５ＧＣに接続された次世代無線アクセスネットワーク（ＮｅｘｔＧｅｎ  Ｒａｄｉｏ  Ａｃｃｅｓｓ  Ｎｅｔｗｏｒｋ；ＮＧ−ＲＡＮ）および／または非３ＧＰＰアクセスネットワークを含む。
【００１０】
ＮＧ−ＲＡＮは、無線アクセスネットワークが５ＧＣに接続するという一般的な特性とともに、１）スタンドアローンの新しい無線、２）新しい無線がＥ−ＵＴＲＡ拡張を有するアンカーであること、または３）スタンドアローンのＥ−ＵＴＲＡの選択肢のうちの１つ以上をサポートする無線アクセスネットワークを含む。
【００１１】
非３ＧＰＰアクセスネットワークは、３ＧＰＰによって定義されるプロトコルとは異なるプロトコルに従って動作するアクセスネットワークを指す。例えば、非３ＧＰＰアクセスネットワークは、電気電子学会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ；ＩＥＥＥ）８０２．１１規格に従って動作する無線ローカルエリアネットワーク（ＷＬＡＮ）を含むことができる。他の例として、非３ＧＰＰアクセスネットワークは、１Ｘアクセスネットワーク（例えば、符号分割多元接続（Ｃｏｄｅ  Ｄｉｖｉｓｉｏｎ  Ｍｕｌｔｉｐｌｅ  Ａｃｃｅｓｓ  ；ＣＤＭＡ）アクセスネットワーク）を含むことができる。
【００１２】
５ＧＣは、アクセスおよび移動性管理機能（Ａｃｃｅｓｓ  ａｎｄ  Ｍｏｂｉｌｉｔｙ  Ｍａｎａｇｅｍｅｎｔ  Ｆｕｎｃｔｉｏｎ；ＡＭＦ）、ユーザープレーン機能（Ｕｓｅｒ  Ｐｌａｎｅ  Ｆｕｎｃｔｉｏｎ；ＵＰＦ）、ならびに他のコアネットワークノードを含むコアネットワークノードを含む。
【００１３】
４Ｇ移動通信システム（進化型パケットシステム（Ｅｖｏｌｖｅｄ  Ｐａｃｋｅｔ  Ｓｙｓｔｅｍ；ＥＰＳ）という）は、４Ｇコアネットワークに接続されたＥ−ＵＴＲＡをサポートする４Ｇアクセスネットワークを含む。４Ｇコアネットワークは、進化型パケットコア（Ｅｖｏｌｖｅｄ  Ｐａｃｋｅｔ  Ｃｏｒｅ；ＥＰＣ）という。ＥＰＣは、ロングタームエボリューション（ＬＴＥ）システムなどのＥＰＳにおいて集中した音声およびデータをサポートするフレームワークを指す。４Ｇコアネットワーク（ＥＰＣ）は、移動性管理エンティティ（Ｍｏｂｉｌｉｔｙ  Ｍａｎａｇｅｍｅｎｔ  Ｅｎｔｉｔｙ；ＭＭＥ）、パケットデータネットワークゲートウェイ（ＰＤＮ−ＧＷ）、および他のコアネットワークノードを含む。ＡＭＦおよびＭＭＥは、５Ｇおよび４Ｇ移動通信システムのそれぞれにおける制御ノードである。ＡＭＦおよびＭＭＥは、ＵＥページング、ベアラのアクティブ化およびアクティブ化、ならびに他の制御機能の実施を担っている。ＵＰＦまたはＰＤＮ−ＧＷは、ＵＥのデータトラフィックの出口または入口の点である。ＥＰＣは、ＥＰＳの一部である。本開示において、ＥＰＣおよびＥＰＳは、時に、同義的に使用される。
【００１４】
他の例において、他の種類の移動通信システムは、汎用パケット無線サービス（Ｇｅｎｅｒａｌ  Ｐａｃｋｅｔ  Ｒａｄｉｏ  Ｓｅｒｖｉｃｅ；ＧＰＲＳ）システム、移動用グローバルシステム（Ｇｌｏｂａｌ  Ｓｙｓｔｅｍ  ｆｏｒ  Ｍｏｂｉｌｅ；ＧＳＭ（登録商標））などを含む。そのような他の種類の移動通信システムのためのアクセスネットワークは、ユニバーサル移動通信サービス（Ｕｎｉｖｅｒｓａｌ  Ｍｏｂｉｌｅ  Ｔｅｌｅｃｏｍｍｕｎｉｃａｔｉｏｎｓ  Ｓｅｒｖｉｃｅ；ＵＭＴＳ）地上波無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ；ＵＴＲＡＮ）、ＧＳＭ（登録商標）進化用ＧＳＭ（登録商標）向上データ速度（ＧＳＭ  Ｅｎｈａｎｃｅｄ  Ｄａｔａ  Ｒａｔｅｓ  ｆｏｒ  ＧＳＭ  Ｅｖｏｌｕｔｉｏｎ；ＥＤＧＥ）無線アクセスネットワーク（ＧＳＭ  ＥＤＧＥ  Ｒａｄｉｏ  Ａｃｃｅｓｓ  Ｎｅｔｗｏｒｋ；ＧＥＲＡＮ）などを含む。
【００１５】
特定の移動通信システムが緊急サービスをサポートしない場合、緊急サービスフォールバックが実施されることができる。緊急サービスは、緊急呼出をサポートするための移動通信システムによって提供されるサービスを指す。
【００１６】
緊急サービスフォールバックは、サービスフォールバックを指すことができる。サービスフォールバックは、システムフォールバックまたはアクセスフォールバックを指すことができる。従って、緊急サービスフォールバックは、緊急システムフォールバックまたは緊急アクセスフォールバックを指すことができる。
【００１７】
（緊急）システムフォールバックは、特定の移動通信システムが（緊急）サービスをサポートすることができない場合に、（緊急）サービスを提供するために異なる移動通信システムを使用することを指す。システムフォールバックは、５ＧＳからＥＰＳへなど、異なるシステムをＵＥに選択させる。
【００１８】
別の種類のサービスフォールバックは、アクセスフォールバックであり、それは、両方とも５Ｇコアネットワーク（５ＧＣ）に接続されたＮＲアクセスからＥ−ＵＴＲＡへなど、同じシステムの異なる種類のアクセスをＵＥに選択させる。
【００１９】
登録は、ＩＭＳへの、ＥＰＣもしくはＥＰＳへの、または５ＧＣもしくは５ＧＳへの登録を指す。ＩＭＳへの登録は、ＳＩＰ  ＲＥＧＩＳＴＥＲ要求メッセージをネットワークに送信することを伴う。あるいは、登録は、５ＧＳ非アクセスストラタム（ｎｏｎ−ａｃｃｅｓｓ  ｓｔｒａｔｕｍ；ＮＡＳ）登録手順またはＥＰＣ  ＮＡＳ登録手順を含むことができる。ＮＡＳ登録手順は、５ＧＳまたはＥＰＳなどの移動通信システムへのアクセスを獲得するために、ＵＥによって実施される。ＥＰＣ、ＥＰＳ、５ＧＣ、または５ＧＳへの登録は、初期登録または周期的もしくは後続登録を伴う。ＥＰＣまたはＥＰＳへの初期登録は、ＡＴＴＡＣＨ  ＲＥＱＵＥＳＴメッセージをネットワークに送信することを伴うアタッチ手順を伴う。ＥＰＣまたはＥＰＳへの周期的もしくは後続登録は、ＴＡＵ  ＲＥＱＵＥＳＴメッセージをネットワークに送信することを伴うトラッキングエリア更新（ｔｒａｃｋｉｎｇ  ａｒｅａ  ｕｐｄａｔｅ；ＴＡＵ）手順を伴う。５ＧＣもしくは５ＧＳへの初期登録、周期的または後続登録は、ＲＥＧＩＳＴＲＡＴＩＯＮ  ＲＥＱＵＥＳＴメッセージをネットワークに送信することを伴う。
【図面の簡単な説明】
【００２０】
本開示のいくつかの実装は、以下の図に関して説明される。
【００２１】
【図１】図１は、本開示のいくつかの実装に従って緊急サービスをサポートするための、異なる種類の移動通信システムを含む例示的な通信配置のブロック図である。
【００２２】
【図２】図２は、本開示のいくつかの実装に従った工程のメッセージフロー図である。
【００２３】
【図３】図３〜図５は、様々な例に従い、ユーザー機器（ＵＥ）によって実施される工程のフロー図である。
【図４】図３〜図５は、様々な例に従い、ユーザー機器（ＵＥ）によって実施される工程のフロー図である。
【図５】図３〜図５は、様々な例に従い、ユーザー機器（ＵＥ）によって実施される工程のフロー図である。
【００２４】
【図６】図６は、本開示のいくつかの実装に従った無線ノードのブロック図である。
【００２５】
図面全体を通して、同じ参照番号は、類似しているが必ずしも同じとは限らない要素を指定する。図は、必ずしも一定の縮尺比でなく、いくつかの部分の大きさは、示された例をより明確に例示するために誇張され得る。さらに、図面は、説明と一致した例および／または実装を提供するが、説明は、図面において提供された例および／または実装に限定されない。
【発明を実施するための形態】
【００２６】
（詳細な説明）
本開示において、「１つの（「ａ」、「ａｎ」または「ｔｈｅ」）」という用語の使用は、文脈が明確に他の様態を示さない限り、複数形も含むことを意図されている。また、本開示において使用される場合、「含む（「ｉｎｃｌｕｄｅｓ」または「ｉｎｃｌｕｄｉｎｇ」）」、「含む（「ｃｏｍｐｒｉｓｅｓ」または「ｃｏｍｐｒｉｓｉｎｇ」）」、「有する（「ｈａｖｅ」または「ｈａｖｉｎｇ」）」という用語は、言及された要素の存在を特定するが、他の要素の存在または追加を排除しない。
【００２７】
２．フォールバックの例示的種類
【００２８】
下記は、システムフォールバックの様々な例示的種類を提供する。
【００２９】
２．１  システムフォールバック
【００３０】
２．１Ａ  ５ＧＳからＥＰＳへのハンドオーバー
【００３１】
システムフォールバックの第１の例は、５ＧＳ（５Ｇ移動通信システム）からＥＰＳ（４Ｇ移動通信システム）へのフォールバックであり、それは、Ｎ２６インターフェースがサポートされている場合に、５ＧＳからＥＰＳへ、５ＧＳからＥＰＳへのハンドオーバー手順を実施することによって実装される。ＵＥは、（Ｓ１ベースのハンドオーバーである）ＥＰＳの一部であるＥ−ＵＴＲＡにおいてトラッキングエリア更新（Ｔｒａｃｋｉｎｇ  Ａｒｅａ  Ｕｐｄａｔｅ；ＴＡＵ）手順を実施することができる。Ｎ２６インターフェースは、ＡＭＦとＭＭＥとの間におけるインターフェースである。Ｎ２６インターフェースは、５ＧＳおよびＥＰＳを含むいくつかの展開によってサポートされない場合があることに留意されたい。Ｓ１インターフェースは、ＵＥとＥＰＣとの間におけるインターフェースを指す。
【００３２】
２．１Ｂ  Ｎ２６インターフェースを有するＥＰＳへのシステム間リダイレクト
【００３３】
システムフォールバックの第２の例は、５ＧＳからＥＰＳへのフォールバックであり、それは、ＭＭＥとＡＭＦとの間におけるＮ２６インターフェースを有する（すなわち、Ｎ２６インターフェースがサポートされている）５ＧＳからＥＰＳへのシステム間リダイレクトを実施することによって実装される。システム間リダイレクトは、５ＧＣからＥＰＣへのアイドルモード移動性に基づいている。ＵＥは、ＥＰＳの一部であるＥ−ＵＴＲＡ（すなわち、ＥＰＣに接続されたＥ−ＵＴＲＡ）においてＴＡＵ手順または（初期）アタッチ手順を実施する。ＵＥのアイドルモード移動性は、ＵＥがアイドルモードにある（すなわち、通信セッションにアクティブに接続されていない）間のＵＥの移動性を指す。
【００３４】
ＵＥが、Ｎ２６インターフェースを有さない相互連動をサポートしないＭＭＥとのＴＡＵ手順を実施する場合、ＭＭＥは、ＴＡＵを拒絶し、ＵＥは、拒絶されたＴＡＵを表示するメッセージを受信すると、システムフォールバックの第３の例において下記で説明されるように、アタッチ要求を進める。
【００３５】
２．１Ｃ  Ｎ２６インターフェースを有さないＥＰＳへのシステム間リダイレクト
【００３６】
システムフォールバックの第３の例は、５ＧＳからＥＰＳへのフォールバックであり、それは、ＭＭＥとＡＭＦとの間におけるＮ２６インターフェースを有さない５ＧＳからＥＰＳへのシステム間リダイレクトを実施することによって実装される。５ＧＳからＥＰＳへのリダイレクトは、単一登録モードまたは二重登録モードにおけるＵＥによって実施されることができる。単一登録モードにおけるＵＥは、１つの移動通信システム（５ＧＳまたはＥＰＳ）のみに登録されるが、二重登録モードにおけるＵＥは、５ＧＳとＥＰＳとの両方になど、二つの移動通信システムに登録される。例えば、単一登録モードにおいて動作するＵＥは、ＴＡＵ  ＲＥＱＵＥＳＴメッセージまたはＡＴＴＡＣＨ  ＲＥＱＵＥＳＴメッセージを送信することで、ＥＰＣまたはＥＰＳへの登録手順を始めることができる。インターネットプロトコル（ＩＰ）アドレスを保存するために、単一登録モードにおいて動作するＵＥは、ＡＴＴＡＣＨ  ＲＥＱＵＥＳＴメッセージを送信することで、ＥＰＣまたはＥＰＳへの登録手順を始めることができる。
【００３７】
二重登録モードをサポートするＵＥは、ＡＴＴＡＣＨ  ＲＥＱＵＥＳＴメッセージを送信することで、ＥＰＳまたはＥＰＣへの初期登録手順を始めることができる。二重登録モードをサポートするＵＥは、他のシステム（例えば、５ＧＳまたは５ＧＣ）への初期登録手順をいつでも始め得る。
【００３８】
２．２  ＣＳフォールバック
【００３９】
フォールバックのさらなる例は、ＥＰＳから、回線交換（ｃｉｒｃｕｉｔ  ｓｗｉｔｃｈｅｄ；ＣＳ）通信をサポートする移動通信システムへの回線交換フォールバック（ｃｉｒｃｕｉｔ  ｓｗｉｔｃｈｅｄ  ｆａｌｌｂａｃｋ；ＣＳＦＢ）である。ＣＳＦＢは、ＥＰＣによってサポートされ得る。ＣＳＦＢのために、ＵＥは、例えばＭＭＥとの組み合わせアタッチまたは組み合わせＴＡＵ手順を実施することによって、ＥＰＣへの組み合わせ登録手順を実施する。組み合わせ登録は、ＵＥをＥＰＣおよび移動交換センター（ｍｏｂｉｌｅ  ｓｗｉｔｃｈｉｎｇ  ｃｅｎｔｅｒ；ＭＳＣ）に登録する。ＭＭＥは、ＥＰＣの一部である。そして、ＭＭＥは、例えばＳＧｓインターフェースを使用することによって、ＵＥをＭＳＣに登録する。ＭＳＣは、ＣＳドメインへのアクセスおよびＣＳドメインのサービスを提供する。ＭＳＣは、ＣＳ通信をサポートし、場合によりＰＳ通信もサポートする移動通信システム（例えば、ＧＰＲＳシステム）の一部である。
【００４０】
２．３  ドメイン選択
【００４１】
いくつかの移動通信システムは、ＣＳドメインまたはＰＳドメインまたは両方へのアクセスを提供する。５ＧＳは、ＣＳドメインへのアクセスを提供しないが、５ＧＳは、（システムフォールバックを介して）ＥＰＳへのアクセスを提供し得る。ＥＰＳは、ＣＳＦＢを使用して、ＧＰＲＳ、ＧＳＭ（登録商標）、または１Ｘ（例えば、ＣＤＭＡ）システムのＣＳドメインへのアクセスを許可する。ＣＳおよびＰＳドメインアクセスは、ＧＰＲＳまたはＧＳＭ（登録商標）システムによって提供され得る。ＣＳドメインアクセスは、１Ｘシステムによって提供され得る。
【００４２】
３．問題
【００４３】
３．１  問題１：登録は承認されたが、ＣＦＳＢが可能でない
【００４４】
ＵＥが移動通信システムの命令を受けてシステムフォールバックを実施する場合、ＵＥは、ＣＳＦＢが可能でないということを、移動通信システムへの登録手順が成功している間に学び得る。
【００４５】
登録手順が成功している間、移動通信システムのアクセスネットワークは、緊急サービスに関する表示をＵＥに提供することができる。ＮＡＳ登録手順が成功している間、登録手順の間に送信された登録に対するＵＥの要求は、登録承認メッセージをネットワークによって送信して、ＵＥにおいて受信することによって承認される。ＲＥＧＩＳＴＲＡＴＩＯＮ  ＡＣＣＥＰＴメッセージ、ＴＡＵ  ＡＣＣＥＰＴメッセージ、ＡＴＴＡＣＨ  ＡＣＣＥＰＴメッセージは、登録承認メッセージの例である。例えば、ＮＲアクセスネットワークまたは５ＧＳのＥ−ＵＴＲＡは、５ＧＳ  ＮＡＳ登録手順のＲＥＧＩＳＴＲＡＴＩＯＮ  ＡＣＣＥＰＴメッセージにおける表示を提供することができる。
【００４６】
緊急サービスに関する表示は、例えば３ＧＰＰ  ＴＳ  ２４．５０１に従う、下記の表１の値を含むことができる。表１は、５ＧＳネットワーク特徴サポート情報要素を示す。
【表１】
2021528886.tif 000003
【００４７】
別の例として、ＥＰＣ  ＮＡＳ登録手順においてＥＰＳによって提供される表示は、ＡＴＴＡＣＨ  ＡＣＣＥＰＴ応答メッセージまたはＴＲＡＣＫＩＮＧ  ＡＲＥＡ  ＵＰＤＡＴＥ  ＡＣＣＥＰＴ応答メッセージに含まれることができる。例として、表示は、３ＧＰＰ  ＴＳ  ２４．３０１に従う、下記の表２の値を含むことができる。
【表２】
2021528886.tif 000004
【００４８】
上記の表１および表２において、いくつかの場合において、ＵＥは、緊急呼出を実施するためのＣＳＦＢを実施することのほうを好み得る（例えば、ＵＥベンダによって事前構成される）。ＣＳＦＢを実施することのほうを好むＵＥは、緊急呼出がＣＳＦＢを使用しなければならないことを特定するＵＥの（ユーザーまたは他のエンティティによって設定される）構成を指す。
【００４９】
移動通信システムへの登録手順が成功している間に移動通信システムによって提供される表示が、ＣＳＦＢが可能でないということを表示する場合、ＵＥは、ＣＳＦＢを実施することによってＣＳドメインを使用して緊急呼出を実施することができず、これは、緊急呼出を確立することが失敗することをもたらし得る。ＣＳＦＢに限定されないさらなる例として、上記の表１は、緊急サービスフォールバックがサポートされていないことを特定することができる。
【００５０】
３．２  問題２：（同時）二重登録が可能なＵＥのための緊急呼出セットアップの遅延
【００５１】
いくつかの場合において、ＵＥは、二重登録が可能であり、それは、ＵＥが５ＧＳとＥＰＳとへなど二つの異なる種類の移動通信システムへの二重登録を実施することが可能であることを意味する。二つの異なる種類の移動通信システムへの二重登録は、例えば、ＵＥが二つの移動通信システムに同時に登録される同時二重登録であることができる。
【００５２】
二重登録が可能なＵＥは、５Ｇアクセスネットワークを介して５ＧＣに登録されることができる。５ＧＳが緊急サービスの「ネイティブ」開始をサポートしない（すなわち、５ＧＳが５Ｇアクセスネットワークを使用する緊急サービスをサポートしない）場合、次いで、（ＵＥがＥＰＳのＥＰＣにまだ登録されていないことを前提として）ＵＥは、システムフォールバックを実施して緊急呼出セットアップをセットアップするとき、遅延を経験し得る。ＵＥは、例えば上記の表１に従う表示に基づいて、５ＧＳが緊急サービスをサポートしないということを学び得る。この表示は、５ＧＳ  ＮＡＳ登録手順が成功している間に提供され得る。
【００５３】
二重登録が可能なＵＥは、４Ｇアクセスネットワークを介してＥＰＣに登録されることができる。ＥＰＳが緊急サービスの「ネイティブ」開始をサポートしない（すなわち、ＥＰＳが４Ｇアクセスネットワークを使用する緊急サービスをサポートしない）場合、次いで、（ＵＥが５ＧＳの５ＧＣにまだ登録されていないことを前提として）ＵＥは、システムフォールバックを実施して緊急呼出セットアップをセットアップするとき、遅延を経験し得る。ＵＥは、例えば上記の表２に従う表示に基づいて、４ＧＳが緊急サービスをサポートしないということを学び得る。この表示は、ＥＰＳ  ＮＡＳ登録手順が成功している間に提供され得る。
【００５４】
あるいは、４Ｇアクセスネットワークを介してＥＰＣに登録されたＵＥは、ＣＳＦＢ手順を実施し得る。
【００５５】
３．３  問題３：フォールバック手順が、ＵＥによって特定されたドメインと合致しない
【００５６】
いくつかの場合において、ＵＥは、特定のドメイン（例えば、ＣＳドメイン）を選択して緊急サービスについての呼出を実施するように構成され得る。このＵＥの構成は、移動通信システムに知られていない場合がある。従って、補助フォールバックなどのフォールバックを実施する場合（例えば、例えばセクション２．１Ａ〜２．１Ｃに従うハンドオーバーもしくはリダイレクト、または（ＣＳフォールバックなどの）アクセスフォールバックもしくはリダイレクト）。
【００５７】
移動通信システムは、（緊急サービスのためのＰＳドメインまたはＣＳドメインを選択するために）ＵＥにおける緊急呼出ドメイン選択構成を設定することができる。しかし、移動通信システムは、ＵＥが特定のドメインを使用するように事前構成されていること、ＵＥが移動通信システムによって構成されたドメインとは異なるドメインを選択し得ること、または要求された特定の種類の緊急サービスがＣＳドメインを介してサポートされることを認識していない場合がある。例えば、ＵＥは、緊急呼出のためにＣＳドメインを使用しなければならない場合があるが、それは、移動通信システムに知られていない場合がある。この場合、移動通信システムは、ＣＳドメインへのアクセスフォールバックまたはリダイレクトを引き起こさない場合があり、それは、緊急呼出セットアップを遅延させる可能性がある。
【００５８】
４．例示的実装
【００５９】
下記は、上記で特定された様々な問題および任意の他の問題に対処するための例示的実装を説明する。様々な異なる実装がスタンドアローン実装として実施されることができる、または、いくつかの態様において組み合わせられることができることが留意される。
【００６０】
図１は、ＵＥ１０２が様々な異なる種類の移動通信システムを経由して（緊急呼出を含む）通信を実施することを許可するための例示的通信配置のブロック図である。図１の例において、ＵＥ１０２は、５ＧＳ１０４と、ＥＰＳ１０６と、３Ｇシステム（３ＧＳ）１０８と、非３ＧＰＰシステム１１０とのうちの任意の１つ以上と通信することが可能であり得る。
【００６１】
５ＧＳ１０４は、ＡＭＦ１１４に接続されたＮＲアクセスネットワークおよび／またはＥ−ＵＴＲＡ１１２を含む。より良い明確性のために、５ＧＳ１０４の他のコアネットワークノードは、示されていない。
【００６２】
ＥＰＳ１０６は、ＭＭＥ１１８に接続されたＥ−ＵＴＲＡ１１６を含む。より良い明確性のために、ＥＰＳ１０６の他のコアネットワークノードは、示されていない。
【００６３】
３ＧＳ１０８は、サービングＧＰＲＳサポートノード（ＳＧＳＮ）とＭＳＣ１２２とに接続されたＵＴＲＡＮおよび／またはＧＥＲＡＮ１２０を含む。３ＧＳは、簡易性のために、ＧＰＲＳまたはＧＳＭ（登録商標）ということもできる。
【００６４】
非３ＧＰＰシステム１１０は、非３ＧＰＰアクセスネットワーク１２４（例えば、ＷＬＡＮまたは１Ｘアクセスネットワーク)と、非３ＧＰＰコアネットワークノード１２６とを含む。簡易性のために別個に示されている非３ＧＰＰコアネットワークノードは、別のシステム（例えば、（ノードの名前がｅＰＤＧである）ＥＰＳまたは５ＧＳ）の一部であり得る。
【００６５】
図１にさらに示されるように、公共安全応答ポイント（Ｐｕｂｌｉｃ  Ｓａｆｅｔｙ  Ａｎｓｗｅｒｉｎｇ  Ｐｏｉｎｔ；ＰＳＡＰ）１２８は、緊急呼出に応答するエンティティを表す。例えば、ＰＳＡＰは、警察署、消防署、９１１コールセンター、または緊急サービス（単数または複数）についての呼出を処理するための任意の他のエンティティの一部であることができる、または、それらに接続することが可能であることができる。
【００６６】
５ＧＳ１０４、ＥＰＳ１０６、および３ＧＳ１０８（より具体的には、ＳＧＳＮ１２１）は、ＰＳＡＰ１２８を有するＰＳドメイン緊急サービスをサポートすることが可能であり得る。３ＧＳ１０８（より具体的には、ＭＳＣ１２２）は、ＰＳＡＰ１２８を有するＣＳドメイン緊急サービスをサポートすることも可能である。
【００６７】
ＡＭＦ１１４、ＭＭＥ１１８、およびＳＧＳＮ１２１は、ＰＳドメインへのアクセスを可能にする。ＳＧＳＮは、ＰＳドメインへのコアネットワークアクセスを許可するが、実際に、ＳＧＳＮ１２１、ＵＴＲＡＮ１２０、またはＧＥＲＡＮ１２０を介していかなるＰＳ音声もＰＳ緊急サービスもサポートされない。
【００６８】
ＭＳＣ１２２は、ＣＳドメインへのアクセスを可能にする。
【００６９】
図１に示されるように、ＵＥ１０２は、Ｎ１インターフェースによってサポートされた５ＧＳ１０４のアクセスネットワーク１１２に接続され、Ｓ１インターフェースによってサポートされたＥＰＳ１０６のアクセスネットワーク１１６に接続される。
【００７０】
図１に示されていないが、ＭＭＥとＡＭＦとの間にＮ２６インターフェースが存在することができる。ＭＭＥとＭＳＣとの間にＳＧｓインターフェースが存在することができる。
【００７１】
４．０  ＵＥ配置
【００７２】
ＵＥ１０２は、緊急サービスの要求を検知して、（ＵＥが複数のドメインをサポートすることを前提に）緊急サービスのためのドメイン（ＣＳドメインまたはＰＳドメイン）を選択するように構成される。
【００７３】
緊急サービスの要求は、例えば、ＵＥ１０２においてユーザーによってダイヤルされるような、またはユーザーインターフェース要素のアクティブ化に基づいて表示されるような、ダイヤルされる番号の形態であり得る。ダイヤルされる番号という用語は、番号が他の様態で（例えば、ＵＥ１２０上に存在するデジタル連絡帳アプリケーションの一部として）選択されている状況を排除しない。あるいは、緊急番号の番号または数字は、ＵＥ１２０の内部アプリケーションから、または外部インターフェースから受信されることができる。ダイヤルされる番号は、文字列の一部であることができ、文字列は、数字および／または英数字を含むことができる。この文字列は、ユニフォームリソース識別子（Ｕｎｉｆｏｒｍ  Ｒｅｓｏｕｒｃｅ  Ｉｄｅｎｔｉｆｉｅｒ；ＵＲＩ）として符号化され得る。
【００７４】
緊急サービスの要求のためのドメインの選択は、ドメイン優先度と、ＵＥ１０２において実装される規則および例外とに基づき得る。ドメイン優先度と、規則および例外とに従ってＵＥ１０２によって選択されるドメインは、緊急呼出を行うために使用されるアクセスネットワークの種類、ＵＥ１０２のＣＳまたはＰＳドメインへのアタッチ／登録ステータス、ならびに／またはＩＰマルチメディアサブシステム（ＩＰ  Ｍｕｌｔｉｍｅｄｉａ  Ｓｕｂｓｙｓｔｅｍ；ＩＭＳ）緊急およびＩＭＳボイスオーバーＰＳのためのネットワークサポートに基づくことができる。ＩＭＳは、セッション開始プロトコル（Ｓｅｓｓｉｏｎ  Ｉｎｉｔｉａｔｉｏｎ  Ｐｒｏｔｏｃｏｌ；ＳＩＰ）をサポートするネットワーク要素を含む。ＩＭＳのネットワーク要素は、例えば、プロキシ呼出セッション制御機能（Ｐｒｏｘｙ  Ｃａｌｌ  Ｓｅｓｓｉｏｎ  Ｃｏｎｔｒｏｌ  Ｆｕｎｃｔｉｏｎ；Ｐ−ＣＳＣＦ）を含むことができる。
【００７５】
ＩＭＳは、ＰＳドメインを介して緊急サービスを提供することができる。ＩＭＳは、アクセスおよび「ＩＭＳボイスオーバーＰＳ」インジケータに応じて、使用されたアクセスを介して音声サービスを提供することができる。例えば上記の表１（例えば、ＥＭＣまたはＥＭＦインジケータ）または２（例えば、ＥＭＣ  ＢＳインジケータ）における「ＩＭＳ緊急サポート」インジケータと、「ＩＭＳボイスオーバーＰＳ」インジケータとは、ＮＡＳ登録手順の間にＵＥによって受信される。
【００７６】
いくつかの例に従う優先度ならびに選択規則および例外は、３ＧＰＰ  ＴＳ  ２３．１６７に従う下記の表３において提供される。本開示において、Ｅ−ＵＴＲＡＮは、ＥＰＣに接続されたＥ−ＵＴＲＡを指す。
【表３−１】
2021528886.tif 000005
【表３−２】
2021528886.tif 000006
【表３−３】
2021528886.tif 000007
【００７７】
他の例において、他の種類の規則および優先度が採用され得る。
【００７８】
図１は、ＵＥ１０２における例示的層をさらに示し、層は、無線媒体を経由して通信するためのチャネル層１３０と、アクセスストラタム（ＡＳ）層１３２と、ＮＡＳ層１３４と、１つ以上のより高い層１３６とを含む。１つ以上のより高い層１３６は、例えばユーザーが特定の番号をダイヤルすることによってまたはアプリケーションプログラムが緊急呼出を開始することによってＵＥ１０２において開始される緊急呼出要求を処理するための緊急サービス要求処理モジュール１３８を含むことができる。１つ以上のより高い層１３６は、緊急サービスドメイン選択モジュール１４０も含むことができ、それは、例えば上記の表３に記載される優先度および規則に従って、ドメイン（ＣＳドメインまたはＰＳドメイン）を選択することができる。
【００７９】
１つ以上のより高い層１３８は、アプリケーション層または任意の他の種類の層を含むことができる。
【００８０】
モジュール１３８および／または１４０によって実施されるプロセッシングに基づいて、ＮＡＳ層１３４またはＡＳ層１３２または他のより低い層は、１つ以上のより高い層１３６から、（ＣＳドメインにおいて緊急呼出を行うための）ＣＳ緊急サービスの要求、（ＰＳドメインにおいて緊急呼出を行うための）ＰＳ緊急サービスの要求、（異なる移動通信システムまたはドメインへのフォールバックを実施して緊急呼出を実施するための）緊急サービスフォールバックの要求、または緊急ＣＳＦＢの要求を受信し得る。ＰＳ緊急サービスの要求がＮＡＳにおいて受信される場合、より低い層は、ＳＩＰ  ＩＮＶＩＴＥ要求および／またはＳＩＰ  ＲＥＧＩＳＴＲＡＴＩＯＮ要求を送信するのに適したＰＤＵセッションまたはＰＤＮ接続を選択または要求する。ＳＩＰ  ＩＮＶＩＴＥは、例えばＰＳＡＰにおける人と通信するのに適した媒体とのセッションを取得する。ＳＩＰ  ＩＮＶＩＴＥ要求および／またはＳＩＰ  ＲＥＧＩＳＴＲＡＴＩＯＮ要求は、ＮＡＳ内において発信または着信されるメッセージであると考えられない。むしろ、それらは、ＩＭＳ内において発信または着信されると考えられる。
【００８１】
４．１  許可されないまたは可能でないＣＳＦＢについての実装１
【００８２】
いくつかの例において、下記の実装１は、上記でさらに論じられた問題１に対処するために使用されることができる。
【００８３】
一般的に、ＵＥは、（緊急番号と一致する）番号が選択されたことまたは入力されたことまたは受信されたことを検知することによって、緊急表示を検知することができる。あるいは、緊急サービスの要求は、ＵＥのより上位の層から受信され得る、または、緊急サービスの要求は、保留中であり得る（上記のセクション４．０を参照）。
【００８４】
緊急サービス要求を満たすために使用されるドメインを識別する際に、別のシステム（例えば、ＥＰＳ）への登録が開始され得る。しかし、ＥＰＳサービスのための登録は成功することができるが、（ＣＳＦＢによって）ＣＳドメインにアクセスすることは、可能でない場合がある。
【００８５】
本開示のいくつかの実装に従って、ＣＦＳＢが許可されないまたは可能でないということを５ＧＳがＵＥ１０２に対して表示したとＵＥが判定した（例えば、ＵＥがＥＰＳサービスのみについて登録されたと判定した）場合、ＵＥ１０２は、それにも関わらず、ＣＳドメインにおいて緊急呼出を実施することができる。
【００８６】
図２は、実装１を提供するためのいくつかの例に従った工程のメッセージフロー図である。
【００８７】
ＵＥ１０２は、５ＧＳのＮＧ−ＲＡＮ（５Ｇアクセスネットワーク）２０２にキャンプオンし、（２０４において）５ＧＳの５ＧＣ２０６に登録する。ＵＥ１０２は、（２０８において）例えばダイヤルされた緊急番号などに基づいて、緊急表示を検知する。
【００８８】
緊急表示に応答して、または、緊急表示に続いて、ＵＥ１０２は、緊急表示に応答する緊急呼出のために使用される第１のドメイン（例えば、ＣＳドメイン）を（２０９において）選択する。
【００８９】
５ＧＣ２０６のＡＭＦが、ＮＧ−ＲＡＮの無線アクセス技術（ｒａｄｉｏ  ａｃｃｅｓｓ  ｔｅｃｈｎｏｌｏｇｙ；ＲＡＴ）についての登録承認メッセージを介したフォールバックを使用して緊急サービスのためのサポートを表示した場合（例えば、表１を参照）、ＵＥ１０２は、ＵＥ１０２が緊急サービスフォールバックを実施する必要があることを表示するサービス要求メッセージを（２１０において）送信する。
【００９０】
ＡＭＦは、ＮＧ−ＲＡＮ２０２における手順を実行することによって、緊急サービスフォールバックの要求をトリガする。手順において、ＡＭＦは、（２１２において）これは緊急サービスのためのフォールバックであるということをＮＧ−ＲＡＮ２０２に対して表示する表示を（例えば、緊急フォールバックのＮ２要求の形態で）送信する。Ｎ２要求は、メッセージである。
【００９１】
ＥＰＣまたは５ＧＣにおける緊急サービスのサポートに基づくＡＭＦは、Ｎ２要求においてターゲットコアネットワークを表示し得、それは、ＮＧ−ＲＡＮ２０２が、ＲＡＴ間フォールバック（例えば、５ＧＳ内におけるＮＲからＥ−ＵＴＲＡへなど、１つのＲＡＴから別のＲＡＴへのフォールバック）または（例えば、５ＧＳからＥＰＳへの）システム間フォールバックが実施されるべきか判定することを許可する。既に認証に成功したＵＥのためのリダイレクトをＡＭＦが開始するとき、ＡＭＦは、フォールバックをトリガするために、Ｎ２要求において、セキュリティコンテキストを含む。
【００９２】
２１２において送信されたメッセージにおいて表示されたターゲットコアネットワークに基づいて、手順２１４と２１６とのうちの１つがＮＧ−ＲＡＮ２０２によって実行される。手順２１４は、ターゲットコアネットワークが５ＧＣ２０６である場合、実施される。手順２１６は、ターゲットコアネットワークがＥＰＣ２１８である場合、実施される。
【００９３】
手順２１４において、ＵＥ１０２が現在ＮＲアクセスネットワークにキャンプオンされている場合、ＮＧ−ＲＡＮ２０２は、５ＧＣ２０６に接続されたＥ−ＵＴＲＡ２２０のセルへのＲＡＴ間ハンドオーバーまたは無線リソース構成（Ｒａｄｉｏ  Ｒｅｓｏｕｒｃｅ  Ｃｏｎｆｉｇｕｒａｔｉｏｎ；ＲＲＣ）リダイレクトを開始する。
【００９４】
手順２１６において、ＮＧ−ＲＡＮ２０２は、５ＧＣ２０６に接続されたＮＧ−ＲＡＮ２０２からＥＰＣ２１８に接続されたＥ−ＵＴＲＡ２２０へのシステム間ハンドオーバーまたはＲＲＣリダイレクトを開始する。ＮＧ−ＲＡＮ２０２は、ＡＭＦによって提供されたセキュリティコンテキストを使用して、リダイレクト手順２１６を安全化する。
【００９５】
手順２１４または２１６のどちらかにおいてリダイレクト手順が使用される場合、ターゲットコアネットワーク種類（例えば、ＥＰＣまたは５ＧＣ）もＵＥ１０２に伝えられて、適切なＮＡＳ手順（ＥＰＣについてＳ１モード、または５ＧＣについてＮ１モード）を実施することが可能になる。ＵＥ１０２は、Ｅ−ＵＴＲＡ２２０へのＲＲＣメッセージにおいて緊急表示を含み、Ｅ−ＵＴＲＡ２２０は、（手順２１４においてトリガされる登録の間に）ＡＭＦに緊急表示を提供し、（手順２１６においてトリガされるＴＡＵ工程の間に）ＥＰＣ２１８の一部であるＭＭＥに緊急表示を提供する。ＵＥ１０２が保留中のユーザーデータを有していることを表示するために、登録とＴＡＵ要求との両方は、それぞれ継続要求およびアクティブフラグを含むべきである。
【００９６】
ＵＥ１０２が、ＥＰＣ２１８に接続されたＥ−ＵＴＲＡ２２０へシステム間ハンドオーバーされるまたはＲＲＣリダイレクトされる場合（すなわち、手順２１６）、第１のドメイン（例えば、ＣＳドメイン）を選択することに応答して、または、第１のドメインを選択することに続いて、ＵＥ１０２は、（例えば組み合わせＴＡＵ要求を送信することによって）（ＵＥ１０２が現在登録されている５ＧＣとは異なる）ＥＰＣ２１８への組み合わせ登録を（２２２において）試行する。組み合わせ登録は、ＵＥ１０２をＥＰＣ２１８とＭＳＣ１２２とに登録する（または、より一般的には、ＵＥ１０２を複数の異なるコアネットワークに同時に登録する）。ＥＰＣ２１８は、ＥＰＳサービスまたは第１のドメイン（例えば、ＣＳドメイン）へのフォールバックのうちの少なくとも１つを提供する。組み合わせＴＡＵ要求は、ＥＰＣ２１８においてＭＭＥ１１８に送信されることができる。
【００９７】
ＵＥ１０２は、組み合わせ登録を試行することに応答して（２２２）、ＵＥ１０２がＰＳサービス（例えば、ＥＰＳサービス）について登録されているがＣＳサービスについて登録されていないというさらなる表示（例えば、２２２において送信されたＴＡＵ要求に応答するＴＡＵ応答）を（２２４において）受信する。例えば、さらなる表示は、ＵＥ１０２がＥＰＳサービスについてのみ登録されているということを表示することができる。
【００９８】
さらなる表示に応答して、ＵＥ１０２は、第３のコアネットワーク（例えば、図１の３ＧＳ１０８のコアネットワーク）に接続されたアクセスネットワーク（例えば、ＵＴＲＡＮまたはＧＥＲＡＮ２２６）を（２２４において）選択して、緊急サービスについての呼出を実施する。
【００９９】
２１４を実施した後、または、２１６と、２２２と、２２４とを実施した後、ＵＥ１０２は、選択されたアクセスネットワークにＳＥＴＵＰメッセージまたはＥＭＥＲＧＥＮＣＹ  ＳＥＴＵＰメッセージを（２２８において）送信することができる。ＳＥＴＵＰメッセージまたはＥＭＥＲＧＥＮＣＹ  ＳＥＴＵＰメッセージは、第１のドメインへのフォールバック（例えば、ＣＳＦＢ）を使用することなく、緊急サービスについての呼出が第１のドメイン（例えば、ＣＳドメイン）におけるＭＳＣ１２２を使用して実施されるということを表示するためのものである。
【０１００】
いくつかの実装において、第１のドメインは、パケット交換ドメインである（例えば、ＵＥは、緊急インジケータを検知することに応答して、パケット交換ドメインを選択する）。ＵＥは、（例えば、表２におけるインジケータに基づいて）第２のコアネットワーク（例えば、ＥＰＣ）が緊急（ベアラ）サービス（単数または複数）をサポートしないということを判定する。次いで、ＵＥは、第３のコアネットワーク（例えば、ＵＴＲＡＮまたはＧＥＲＡＮ）の回線交換ドメインを使用して、呼出を実施する。
【０１０１】
下記は、３ＧＰＰ  ＴＳ  ２４．３０１のセクションの修正を提供する（下線を引いたテキストは、新しい追加を表す）。
【０１０２】
５．５．３．３．４．３  ＥＰＳサービスのみについて成功する組み合わせトラッキングエリア更新
トラッキングエリア更新試行カウンタ上におけるアクションを除いて、第５．５．３．２．４項において規定されたＥＰＳサービスについてのトラッキングエリアの説明に従うものとする。追加的に、非ＥＰＳサービスについての位置更新の下記の説明が適用される。
緊急ドメイン選択もしくは緊急サービスフォールバックに起因する保留中の緊急サービスの要求、保留中のＣＳフォールバック緊急呼出、または保留中のＣＳフォールバック呼出が存在する場合（３ＧＧＰ  ＴＳ  ２３．５０２を参照）、ＵＥは、ＧＥＲＡＮまたはＵＴＲＡＮ無線アクセス技術を選択することを試行し、ＥＭＥＲＧＥＮＣＹ  ＳＥＴＵＰメッセージまたはＳＥＴＵＰメッセージの間において選択し、適切なＭＭまたはＧＭＭ固有の手順に進むものとする。
【０１０３】
４．２  実装２
【０１０４】
５Ｇ動作をサポートするあるＵＥは、同時に（５ＧＣに）登録され、かつ（ＥＰＣに）アタッチされることができる。そのようなＵＥは、５ＧＣへの１つの登録コンテキストおよびＥＰＣへの１つの登録コンテキストを維持することができる。ＵＥは、継続的に同時に登録かつアタッチされる必要はない。しかし、この種類のＵＥは、フォールバックまたはリダイレクトを実施するよりも、ＥＰＣとのアタッチメント手順を実施するほうを好み得、その後にＴＡＵ手順が続く。
【０１０５】
下記の実装２．１〜２．３は、いくつかの例において、上記でさらに論じられた問題２に対処するために使用されることができる。
【０１０６】
４．２．１  実装２．１：（同時に）二重登録されたデバイスのための最適化
【０１０７】
実装２．１の実施を可能にするために、ＵＥ１０２は、異なる第１のコアネットワークおよび第２のコアネットワーク（例えば、５ＧＣおよびＥＰＣ）に同時に登録されることが可能であるとする。５ＧＣとＥＰＣとの間のＮ２６インターフェースは、サポートされることも、またはサポートされないこともある。
【０１０８】
緊急サービスのネイティブ開始がネットワークまたはＵＥによってサポートされていないというシナリオにおける緊急呼出の確立に対する遅延（上記で論じられた問題２）を減らすために、実装２は、図２に示されたタスク２１０および２１２を飛ばそうとするまたは省略しようとする。
【０１０９】
図３は、実装２．１についてのいくつかの例に従った、ＵＥ１０２の工程のフロー図である。ＵＥ１０２の機械読取可能な記憶媒体において格納され、ＵＥ１０２の１つ以上のプロセッサ上において実行される機械読取可能な命令によって、工程は、実施されることができる。
【０１１０】
ＵＥ１０２は、（３０２において）第１のアクセスネットワークを介した第１のコアネットワーク（例えば、５ＧＣ）への登録の間に、（例えば応答メッセージにおける）表示を受信する。
【０１１１】
例えば、表示に基づいて、（３０４において）ＵＥ１０２は、例えば３ＧＰＰアクセスについての緊急サービスインジケータ（例えば、表１におけるＥＭＣインジケータ）において、第１のコアネットワークが緊急サービスをサポートしないということを判定する。いくつかの場合において、緊急サービスが第１のコアネットワークによってサポートされていないということを表示するインジケータは、緊急サービスが第１のコアネットワークに接続されたアクセスネットワークによってサポートされていないという表示を含むことができる。
【０１１２】
第１のコアネットワークが緊急サービスをサポートしないと判定することに応答して、ＵＥ１０２は、（３０６において）第２のアクセスネットワークを介した第２のコアネットワーク（例えば、ＥＰＣ）への第２の登録を試行する。
【０１１３】
ＵＥ１０２は、（３０８において）緊急表示を検知する。
【０１１４】
緊急表示に応答して、ＵＥ１０２は、（３１０において）第２のアクセスネットワークを介して緊急サービスについての呼出を開始する。
【０１１５】
さらなる例または代替的な例において、ＵＥ１０２は、表示（または別の表示）がコア間ネットワークインターフェース（例えば、ＡＭＦとＭＭＥとの間におけるＮ２６インターフェース）を有さない第１のコアネットワークと第２のコアネットワークとの間の相互連動のためのサポートを表示すると判定することができる。このインジケータは、例えば、上記の表１におけるインジケータに基づくこともできる。Ｎ２６インターフェースを有さない第１のコアネットワークと第２のコアネットワークとの間の相互連動は、例えば５ＧＳとＥＰＳとの両方において配置されたＰＤＮ−ＧＷの存在によって提供されることができる。
【０１１６】
さらなる例または代替的な例において、ＵＥ１０２は、（３０８において）緊急表示を探知した後に、緊急サービスフォールバックを実施しない場合もある。
【０１１７】
さらなる例または代替的な例において、第２のアクセスネットワークを介した第２のコアネットワークへの第２の登録は、緊急サービスフォールバックを実施しないことを含む。
【０１１８】
さらなる例または代替的な例において、第２のアクセスネットワークを介した第２のコアネットワークへの第２の登録は、アタッチ手順を含む。
【０１１９】
さらなる例または代替的な例において、ＵＥ１０２は、５ＧＣによる３ＧＰＰアクセスについての緊急サービスフォールバックのサポートを判定することができる。
【０１２０】
さらなる例または代替的な例において、ＵＥ１０２は、５ＧＣによる３ＧＰＰアクセスについての緊急サービスフォールバックのサポートの欠如を判定することができる。
【０１２１】
さらなる例または代替的な例において、ＵＥ１０２は、（例えば、組み合わせアタッチ手順を実施することによって）第２のコアネットワークへの組み合わせ登録を試行することによって、第２の登録を試行することができ、第２のコアネットワークは、ＥＰＳサービスまたはＣＳドメインへのフォールバック（例えば、ＣＳＦＢ）のうちの少なくとも１つを提供するように定義される。
【０１２２】
さらなる例または代替的な例において、ＵＥ１０２は、第２のコアネットワークとのＴＡＵ手順を試行しないことによって、第２の登録を試行することができる。
【０１２３】
さらなる例または代替的な例において、ＵＥ１０２は、ＣＳドメインへのフォールバックの要求を送信することによって、第２のアクセスネットワークを介して緊急サービスについての呼出を開始することができる。
【０１２４】
さらなる例または代替的な例において、ＵＥ１０２は、ＳＥＴＵＰメッセージまたはＥＭＥＲＧＥＮＣＹ  ＳＥＴＵＰメッセージのうちの１つを送信することによって、緊急サービスについての呼出を開始することができ、それは、ＭＳＣに呼出を処理させる。
【０１２５】
さらなる例または代替的な例において、ＵＥ１０２は、緊急を表示する第１のＥＸＴＥＮＤＥＤ  ＳＥＲＶＩＣＥ  ＲＥＱＵＥＳＴメッセージまたは第２のＥＸＴＥＮＤＥＤ  ＳＥＲＶＩＣＥ  ＲＥＱＵＥＳＴメッセージのうちの１つを送信することによって、緊急サービスについての呼出を開始することができる。第１または第２のＥＸＴＥＮＤＥＤ  ＳＥＲＶＩＣＥ  ＲＥＱＵＥＳＴメッセージは、ＥＰＣのＭＭＥに送信される。これは、緊急サービスＣＳＦＢの一部であることができる。
【０１２６】
第２のＥＸＴＥＮＤＥＤ  ＳＥＲＶＩＣＥ  ＲＥＱＵＥＳＴメッセージは、緊急を表示しない。
【０１２７】
さらなる例または代替的な例において、ＵＥ１０２は、緊急表示に応答して、ドメイン（例えば、ＣＳドメインまたはＰＳドメイン）を選択することができる。呼出は、選択されたドメインがＰＳドメインであると判定することに応答して、第２のアクセスネットワークを介して開始される。
【０１２８】
さらなる例または代替的な例において、ＵＥ１０２は、以下のうちの少なくとも１つによって緊急サービスについての呼出を開始することができる：
・選択されたドメインがＣＳドメインである場合、第３のアクセスネットワークを選択し、サービス要求メッセージを第２のコアネットワークに送信することであって、メッセージは、第３のアクセスネットワークにフォールバックすることを要求する、こと；または
・選択されたドメインがＰＳドメインである場合、第２のアクセスネットワークを介して呼出を開始すること。
【０１２９】
さらなる例または代替的な例において、第２のアクセスネットワークを介した呼出は、「ｕｒｎ」（ユニフォームリソース名；ｕｎｉｆｏｒｍ  ｒｅｓｏｕｒｃｅ  ｎａｍｅ）スキームを使用するＵＲＩを含むＳＩＰ  ＩＮＶＩＴＥメッセージを送信することを含む。
【０１３０】
さらなる例または代替的な例において、ＵＲＩは、「ＳＯＳ」のテキストを含む。
【０１３１】
さらなる例または代替的な例において、ＵＥは、単一登録モードにおいて動作し、（３０８において）緊急表示を検知した後に、続けて二重登録モードにおいて動作する。
【０１３２】
さらなる例または代替的な例において、ＵＥは、緊急サービスについての呼出を終わらせた後に、続けて単一登録モードにおいて動作する。
【０１３３】
いくつかの実装において、ＵＥは、緊急インジケータを検知することに応答して、パケット交換ドメインを選択する。ＵＥは、（例えば、表２におけるインジケータに基づいて）ＥＰＣが緊急（ベアラ）サービス（単数または複数）をサポートしないということを判定する。そして、ＵＥは、ＵＴＲＡＮまたはＧＥＲＡＮの回線交換ドメインを使用して呼出を実施する。
【０１３４】
下記は、上記の実装２．１を裏付けるために、３ＧＰＰ  ＴＳ  ２４．２２９のセクションの修正を提供する（下線を引いたテキストは、新しい追加を表す）。
【０１３５】
３ＧＰＰ  ＴＳ  ２４．２２９：
Ｕ．２．２．６．４：単一登録モードにおいて緊急サービスを試行する
注：本項は、ＵＥが３ＧＰＰ  ＴＳ  ２３．１６７  ［４Ｂ］に規定された協定および規則に従ってＩＭ  ＣＮサブシステムを選択する場合のみに当てはまり、ＩＰ−ＣＡＮ固有の手順を説明する。それは、ＣＳドメインの使用を排除しない。３ＧＰＰ  ＴＳ  ２４．００８  ［８］に基づいたＣＳシステムが使用されるべきである場合、Ｂ．５節が適用される。
。。。
ＵＥが３ＧＰＰ  ＴＳ  ２４．５０１  ［２５８］において説明されるように単一登録モードにおいて動作し、ＵＥが呼出要求が緊急呼出であると認識するとき、
１）ＩＭ  ＣＮサブシステムが３ＧＰＰ  ＴＳ  ２３．１６７  ［４Ｂ］に規定された協定および規則に従って選択され；かつ
２）ＵＥが５ＧＣＮに接続されたＮＲセルにある間にＵＥが５ＧＳサービスに現在登録されている場合；
以下の処理が適用される：
１）ＥＭＣが「緊急サービスがサポートされていない」と表示する場合：
ａ０）５ＧＳネットワーク特徴サポートＩＥにおけるＩＷＫ  Ｎ２６ビットが「Ｎ２６インターフェースを有さない相互連動がサポートされている」に設定される場合：
ｉ）ＵＥが二重登録モードをサポートする場合、ＵＥは、続けて二重登録モードにおいて動作し得；
ｉｉ）ＵＥは、ＥＰＣに接続されたＥ−ＵＴＲＡセルを選択することを試行する。ＵＥがＥＰＣに接続された適したＥ−ＵＴＲＡセルを発見し、かつネットワークが３ＧＰＰ  ＴＳ  ２４．３０１  ［８Ｊ］において説明されるような「Ｓ１モードにおける緊急ベアラサービスがサポートされている」に設定されたＥＭＣ  ＢＳをＵＥに提供する場合、ＵＥは、Ｌ．２．２．６項において説明されるような手順を実施して、ＥＰＳベアラコンテキストをアクティブ化し、緊急登録を実施するものとするが、例外として、ＵＥは、３ＧＰＰ  ＴＳ  ２３．５０２  ［２５７Ａ］において説明されるようなＥＰＳトラッキングエリア更新手順を実施してはならず；また、
ｉｉｉ）緊急ベアラサービスについてのＰＤＮ接続が解除され、ＵＥが項目ｉ）における二重登録モードになった場合、ＵＥは、分離し、続いて単一登録モードにおいて動作し得る。
ａ）。。。；
ＵＥが３ＧＰＰ  ＴＳ  ２４．５０１  ［２５８］において説明されるように単一登録モードにおいて動作し、ＵＥが呼出要求が緊急呼出であると認識するとき、
１）ＩＭ  ＣＮサブシステムが３ＧＰＰ  ＴＳ  ２３．１６７  ［４Ｂ］に規定された協定および規則に従って選択され；かつ
２）ＵＥが５ＧＣＮに接続されたＥ−ＵＴＲＡセルにある間に５ＧＳサービスに現在登録されている場合；
以下の処理が適用される：
１）ＥＭＣが「緊急サービスがサポートされていない」と表示する場合：
ａ０）５ＧＳネットワーク特徴サポートＩＥにおけるＩＷＫ  Ｎ２６ビットが「Ｎ２６インターフェースを有さない相互連動がサポートされている」に設定される場合：
ｉ）ＵＥが二重登録モードをサポートする場合、ＵＥは、続けて二重登録モードにおいて動作し得；
ｉｉ）ＵＥは、ＥＰＣに接続されたＥ−ＵＴＲＡセルを選択することを試行する。ＵＥがＥＰＣに接続された適したＥ−ＵＴＲＡセルを発見し、かつネットワークが３ＧＰＰ  ＴＳ  ２４．３０１  ［８Ｊ］において説明されるような「Ｓ１モードにおける緊急ベアラサービスがサポートされている」に設定されたＥＭＣ  ＢＳをＵＥに提供する場合、ＵＥは、Ｌ．２．２．６項において説明されるような手順を実施して、ＥＰＳベアラコンテキストをアクティブ化し、緊急登録を実施するものとするが、例外として、ＵＥは、３ＧＰＰ  ＴＳ  ２３．５０２  ［２５７Ａ］において説明されるようなＥＰＳトラッキングエリア更新手順を実施してはならず；また、
ｉｉｉ）緊急ベアラサービスについてのＰＤＮ接続が解除され、ＵＥが項目ｉ）における二重登録モードになった場合、ＵＥは、分離し、続いて単一登録モードにおいて動作し得る。
ａ）。。。；
Ｕ．２．２．６．５  二重登録モードにおいて緊急サービスを試行する
注１：本項は、ＵＥが３ＧＰＰ  ＴＳ  ２３．１６７  ［４Ｂ］に規定された協定および規則に従ってＩＭ  ＣＮサブシステムを選択する場合のみに当てはまり、ＩＰ−ＣＡＮ固有の手順を説明する。それは、ＣＳドメインの使用を排除しない。３ＧＰＰ  ＴＳ  ２４．００８  ［８］に基づいたＣＳシステムが使用されるべきである場合、Ｂ．５節が適用される。
ＵＥが３ＧＰＰ  ＴＳ  ２４．５０１  ［２５８］において説明されるように二重登録モードにおいて動作し、ＵＥが呼出要求が緊急呼出であると認識するとき、
１）ＩＭ  ＣＮサブシステムが３ＧＰＰ  ＴＳ  ２３．１６７  ［４Ｂ］に規定された協定および規則に従って選択され；かつ
２）ＵＥが５ＧＣＮに接続されたＮＲセルに現在キャンプオンしている場合；
以下の処理が適用される：
１）ＥＭＣが「緊急サービスがサポートされていない」と表示した場合：
ａ）ＵＥがＥＰＳサービスについてアタッチされ、かつネットワークが３ＧＰＰ  ＴＳ  ２４．３０１  ［８Ｊ］において説明されるような「Ｓ１モードにおける緊急ベアラサービスがサポートされている」に設定されたＥＭＣ  ＢＳをＵＥに提供する場合、ＵＥは、Ｌ．２．２．６項において説明されるような手順を実施して、緊急ベアラサービスについてのＰＤＮ接続を確立するものとする；または、
ｂ）ＵＥがＥＰＳサービスについてアタッチされていない場合：
ｉ）ネットワークが「Ｎ２６インターフェースを有さない相互連動がサポートされている」と表示する場合（３ＧＰＰ  ＴＳ  ２４．５０１  ［２５８］を参照）、ＵＥは、ＥＰＣに接続されたＥ−ＵＴＲＡセルを選択することを試行するものとする。ＵＥがＥＰＣに接続された適したＥ−ＵＴＲＡセルを発見し、かつネットワークが３ＧＰＰ  ＴＳ  ２４．３０１  ［８Ｊ］において説明されるような「Ｓ１モードにおける緊急ベアラサービスがサポートされている」に設定されたＥＭＣ  ＢＳをＵＥに提供する場合、ＵＥは、Ｌ．２．２．６項において説明されるような手順を実施して、ＥＰＳベアラコンテキストをアクティブ化し、緊急登録を実施するものとする。
緊急ベアラサービスについてのＰＤＮ接続が解除された場合、ＵＥは、ＥＰＣから分離し得る；
ｉｉ）そうでなければ、また：
Ａ）緊急サービスフォールバックが利用可能であり（すなわち、３ＧＰＰ  ＴＳ  ２３．１６７  ［４Ｂ］において説明されるように「ＥＳＦＢがＹである」）、かつＵＥが３ＧＰＰ  ＴＳ  ２３．５０１  ［２５７］において規定されるような緊急サービスフォールバックをサポートする場合、ＵＥは、３ＧＰＰ  ＴＳ  ２４．５０１  ［２５８］において規定されるような緊急サービスフォールバックを試行するものとする。ＵＥがより低い層から、緊急サービスフォールバック試行が失敗したという表示を受信した場合、ＵＥは、緊急サービスフォールバックが利用可能でないということを前提に、下記の印ｉｉ）において説明されるように挙動し得るか；または、
Ｂ）緊急サービスフォールバックが利用可能でない（すなわち、３ＧＰＰ  ＴＳ  ２３．１６７  ［４Ｂ］において説明されるように「ＥＳＦＢがＮである」）場合、またはＵＥが３ＧＰＰ  ＴＳ  ２３．５０１  ［２５７］において規定されるような緊急サービスフォールバックをサポートしない場合、ＵＥは、ＥＰＣに接続されたＥ−ＵＴＲＡセルを選択することを試行するものとする。ＵＥがＥＰＣに接続された適したＥ−ＵＴＲＡセルを発見し、かつネットワークが３ＧＰＰ  ＴＳ  ２４．３０１  ［８Ｊ］において説明されるような「Ｓ１モードにおける緊急ベアラサービスがサポートされている」に設定されたＥＭＣ  ＢＳをＵＥに提供する場合、ＵＥは、Ｌ．２．２．６項において説明されるような手順を実施して、ＥＰＳベアラコンテキストをアクティブ化し、緊急登録を実施するものとする；
２）。。。：
ＵＥが３ＧＰＰ  ＴＳ  ２４．５０１  ［２５８］において説明されるように二重登録モードにおいて動作し、ＵＥが呼出要求が緊急呼出であると認識するとき、
１）ＩＭ  ＣＮサブシステムが３ＧＰＰ  ＴＳ  ２３．１６７  ［４Ｂ］に規定された協定および規則に従って選択され；かつ
２）ＵＥが５ＧＣＮに接続されたＥ−ＵＴＲＡセルに現在キャンプオンしており、かつＵＥがＥＰＳサービスについてアタッチされていない場合；
以下の処理が適用される：
１）ＥＭＣが「緊急サービスがサポートされていない」と表示する場合：
ａ）ネットワークが「Ｎ２６インターフェースを有さない相互連動がサポートされている」と表示する場合（３ＧＰＰ  ＴＳ  ２４．５０１  ［２５８］を参照）、ＵＥは、ＥＰＣに接続されたＥ−ＵＴＲＡセルを選択することを試行するものとする。ＵＥがＥＰＣに接続された適したＥ−ＵＴＲＡセルを発見し、かつネットワークが３ＧＰＰ  ＴＳ  ２４．３０１  ［８Ｊ］において説明されるような「Ｓ１モードにおける緊急ベアラサービスがサポートされている」に設定されたＥＭＣ  ＢＳをＵＥに提供する場合、ＵＥは、Ｌ．２．２．６項において説明されるような手順を実施して、ＥＰＳベアラコンテキストをアクティブ化し、緊急登録を実施するものとする。
緊急ベアラサービスについてのＰＤＮ接続が解除された場合、ＵＥは、ＥＰＣから分離し得る；
ｂ）そうでなければ、また：
ｉ）緊急サービスフォールバックが利用可能であり（すなわち、３ＧＰＰ  ＴＳ  ２３．１６７  ［４Ｂ］において説明されるように「ＥＳＦＢがＹである」）、かつＵＥが３ＧＰＰ  ＴＳ  ２３．５０１  ［２５７］において規定されるような緊急サービスフォールバックをサポートする場合、ＵＥは、３ＧＰＰ  ＴＳ  ２４．５０１  ［２５８］において規定されるような緊急サービスフォールバックを試行するものとする。ＵＥがより低い層から、緊急サービスフォールバック試行が失敗したという表示を受信した場合、ＵＥは、緊急サービスフォールバックが利用可能でないということを前提に、下記の印ｂ）において説明されるように挙動し得る；または、
ｉｉ）緊急サービスフォールバックが利用可能でない（すなわち、３ＧＰＰ  ＴＳ  ２３．１６７  ［４Ｂ］において説明されるように「ＥＳＦＢがＮである」）場合、またはＵＥが３ＧＰＰ  ＴＳ  ２３．５０１  ［２５７］において規定されるような緊急サービスフォールバックをサポートしない場合、ＵＥは、ＥＰＣに接続されたＥ−ＵＴＲＡセルを選択することを試行するものとする。ＵＥがＥＰＣに接続された適したＥ−ＵＴＲＡセルを発見した場合、ＵＥは、Ｌ．２．２．６項において説明されるような手順を実施して、ＥＰＳベアラコンテキストをアクティブ化し、緊急登録を実施するものとする；また、
２）。。。：
【０１３６】
ＵＥが異なる第１のコアネットワークおよび第２のコアネットワークに同時に登録されることが可能である場合、ＵＥ１０２は、（４０６において）第２のアクセスネットワークを介した第２のコアネットワーク（例えば、ＥＰＣ）への第２の登録を試行し、第２の登録は、第１のアタッチ手順または第２のアタッチ手順を含み得、第２のアタッチ手順は、組み合わせアタッチ手順である。
【０１３７】
ＵＥが異なる第１のコアネットワークおよび第２のコアネットワークに同時に登録されることが可能である場合、ＵＥ１０２は、（４０６において）第１のアタッチ手順または第２のアタッチ手順を試行し、ＵＥは、アタッチ手順が成功した後にさらなるＮＡＳメッセージを伝送するためにＳ１  ＮＡＳシグナリング接続を使用する必要があり得る。この目的のために、ＵＥは、ＡＴＴＡＣＨメッセージにおいてインジケータを含み得、インジケータは、登録手順の完了の後にＳ１  ＮＡＳ（シグナリング）接続を継続することが必要であることを表示する。さらなるＮＡＳメッセージは、ＳＥＲＶＩＣＥ  ＲＥＱＵＥＳＴメッセージであり得る。
【０１３８】
４．２．２  実装２．２：Ｎ２６インターフェースがサポートされていても、二重登録を試行する
【０１３９】
下記は、Ｎ２６インターフェースを使用した相互連動がサポートされている場合でも二重登録が試行されることができる例を説明する。実装２．２は、実装２．１に基づくさらなる実装を説明する。
【０１４０】
さらなる実装において、ＵＥ１０２は、第２のコアネットワークに第１のインジケータを提供することによって第２の登録を試行し、第１のインジケータは、第２の登録が緊急のために試行されていることを表示する。
【０１４１】
さらなる実装において、ＵＥ１０２は、第２のコアネットワークに第２のインジケータを提供することによって第２の登録を試行し、第２のインジケータは、第２のコアネットワークに対して、第１のコアネットワークにおける１つ以上の既存のプロトコルデータユニット（ＰＤＵ）セッションまたはパケットデータネットワーク（ＰＤＮ）接続が中断されるべきであるということを表示する。第２のコアネットワーク（例えば、第２のコアネットワークのＭＭＥ）は、第２のインジケータを受信すると、第１のコアネットワークに対して１つ以上のＰＤＵセッションを中断するよう表示する。
【０１４２】
さらなる実装において、ＵＥ１０２は、第２のコアネットワークに第３のインジケータを提供することによって第２の登録を試行し、第３のインジケータは、第２のコアネットワークに対して、第１のアクセスネットワークを介した第１のコアネットワークへの登録が終了されるべきであるということを表示する。第２のコアネットワーク（例えば、第２のコアネットワークのＭＭＥ）は、第３のインジケータを受信すると、配置されたホーム加入者サーバー（ｈｏｍｅ  ｓｕｂｓｃｒｉｂｅｒ  ｓｅｒｖｅｒ；ＨＳＳ）およびユーザーデータ管理（ＵＤＭ）システムに対して、第１のコアネットワーク（例えば、第１のコアネットワークのＡＭＦ）におけるＵＥの登録を取り消すよう表示する。
【０１４３】
さらなる実装において、ＵＥ１０２は、第２のコアネットワークに第４のインジケータを提供することによって第２の登録を試行し、第４のインジケータは、第２のコアネットワークに対して、第１のアクセスネットワークを介した第１のコアネットワークへの登録が継続されるべきであるということを表示する。第２のコアネットワーク（例えば、第２のコアネットワークのＭＭＥ）は、第４のインジケータを受信すると、配置されたＨＳＳおよびＵＤＭシステムに対して、第１のコアネットワーク（例えば、第１のコアネットワークのＡＭＦ）におけるＵＥの登録を取り消さないよう表示する。
【０１４４】
さらなる実装において、ＵＥ１０２は、呼出の終了の後に、第１のコアネットワークのアクセスネットワーク（例えば、ＮＲアクセスネットワークまたはＥ−ＵＴＲＡまたはＷＬＡＮまたは非３ＧＰＰ  ＡＮのうちの１つ）に戻る。
【０１４５】
４．２．３  実装２．３：ＥＰＳサービスのみについて（同時に）二重登録されたデバイス
【０１４６】
実装２．３は、上記の問題１および問題２に対処するために使用される。
【０１４７】
実装２．３の実施を可能にするために、ＵＥ１０２は、異なる第１のコアネットワークおよび第２のコアネットワーク（例えば、５ＧＣおよびＥＰＣ）に同時に登録されることが可能であるとする。
【０１４８】
図４は、実装２．３についてのいくつかの例に従った、ＵＥ１０２の工程のフロー図である。
【０１４９】
ＵＥ１０２は、第１のアクセスネットワークを介した第１のコアネットワーク（例えば、５ＧＣ）へのＵＥ１０２の登録の間に、（例えば応答メッセージにおける）表示を（４０２において）受信する。
【０１５０】
表示に基づいて、ＵＥ１０２は、第１のコアネットワークが緊急サービスをサポートしないということを（４０４において）判定する。
【０１５１】
第１のコアネットワークが緊急サービスをサポートしないと判定することに応答して、ＵＥ１０２は、（４０６において）第２のアクセスネットワークを介した第２のコアネットワーク（例えば、ＥＰＣ）への第２の登録を試行する。
【０１５２】
試行に応答して、ＵＥ１０２は、ＵＥがＥＰＳサービスのみについて登録されたという表示を（４０８において）受信する。
【０１５３】
ＵＥ１０２は、（４１０において）緊急表示を検知する。緊急表示に応答して、ＵＥ１０２は、（４１２において）呼出のためにＧＥＲＡＮまたはＵＴＲＡＮを選択する。
【０１５４】
ＧＥＲＡＮまたはＵＴＲＡＮは、ＣＳドメインへのアクセスを提供する。
【０１５５】
ＵＥは、ＳＥＴＵＰメッセージまたはＥＭＥＲＧＥＮＣＹ  ＳＥＴＵＰメッセージのうちの１つを送信することによって、緊急サービスについての呼出を開始することができる。
【０１５６】
第１の例において、下記は、上記の実装２．３を裏付けるために、３ＧＰＰ  ＴＳ  ２４．３０１のセクションの修正を提供する（下線を引いたテキストは、新しい追加を表す）。
【０１５７】
第２の例において、下記は、上記の実装２．３を裏付けるために、３ＧＰＰ  ＴＳ  ２４．２２９のセクションの修正を提供する（下線を引いたテキストは、新しい追加を表す）。
【０１５８】
実装２．３を裏付けるための第１の例および第２の例は、組み合わせられることができる。
【０１５９】
３ＧＰＰ  ＴＳ  ２４．３０１：
５．５．１．３．４．３  ＥＰＳサービスのみについて成功する組み合わせアタッチ
トラッキングエリア更新試行カウンタ上におけるアクションを除いて、第５．５．１．２．４項において規定されたＥＰＳサービスについてのアタッチの説明に従うものとする。追加的に、非ＥＰＳサービスについてのアタッチの下記の説明が適用される。
緊急ドメイン選択もしくは緊急サービスフォールバックに起因する保留中の緊急サービスの要求、保留中のＣＳフォールバック緊急呼出、または保留中のＣＳフォールバック呼出が存在する場合（３ＧＧＰ  ＴＳ  ２３．５０２を参照）、ＵＥは、ＧＥＲＡＮまたはＵＴＲＡＮ無線アクセス技術を選択することを試行し、ＥＭＥＲＧＥＮＣＹ  ＳＥＴＵＰメッセージまたはＳＥＴＵＰメッセージの間において選択し、適切なＭＭまたはＧＭＭ固有の手順に進むものとする。
ＡＴＴＡＣＨ  ＡＣＣＥＰＴメッセージを受信するＵＥは、ＥＭＭ原因値に応じて以下のアクションのうちの１つをとる。
【０１６０】
３ＧＰＰ  ＴＳ  ２４．２２９：
Ｕ．２．２．６．５  二重登録モードにおける緊急サービス
。。。：
注ｘ：ＵＥがＥＰＣに接続された適したＥ−ＵＴＲＡセルを発見し、ネットワークが「Ｓ１モードにおける緊急ベアラサービスがサポートされていない」に設定されたＥＭＣ  ＢＳをＵＥに提供し、かつ組み合わせトラッキングエリア更新またはアタッチ手順がＥＰＳサービスのみについて成功した場合、ＣＳＦＢは、ＣＳドメインを使用するために適用されることができない。組み合わせトラッキングエリア更新またはアタッチ手順が不成功である、またはＥＰＳサービスのみについて成功するとき、ＣＳドメインへのアクセスを提供するアクセスが選択される。３ＧＰＰ  ＴＳ  ２４．００８  ［８］に基づくＣＳシステムが使用されるべきであるとき、Ｂ．５節が適用される。
２）。。。：
注ｙ：ＵＥがＥＰＣに接続された適したＥ−ＵＴＲＡセルを発見し、ネットワークが「Ｓ１モードにおける緊急ベアラサービスがサポートされていない」に設定されたＥＭＣ  ＢＳをＵＥに提供し、かつ組み合わせトラッキングエリア更新またはアタッチ手順がＥＰＳサービスのみについて成功した場合、ＣＳＦＢは、ＣＳドメインを使用するために適用されることができない。組み合わせトラッキングエリア更新またはアタッチ手順が不成功であるとき、またはＥＰＳサービスのみについて成功するとき、ＣＳドメインへのアクセスを提供するアクセスが選択される。３ＧＰＰ  ＴＳ  ２４．００８  ［８］に基づくＣＳシステムが使用されるべきであるとき、Ｂ．５節が適用される。
【０１６１】
４．３  実装３
【０１６２】
実装３は、上記においてさらに論じられた問題３に対処するために、提供される。
【０１６３】
５Ｇ動作が可能であるＵＥは、ＵＥが実施したいと望む種類のフォールバックを表示することが可能であるはずである。ＵＥのみが、緊急番号によって識別される特定の緊急サービス種類のためにＵＥが使用しなければならないドメインを知っている。
【０１６４】
図５は、実装３についてのいくつかの例に従った、ＵＥ１０２の工程のフロー図である。
【０１６５】
ＵＥ１０２は、第１のアクセスネットワークを介して登録されるものとする。ＵＥ１０２は、（５０２において）第１のドメイン（例えば、ＣＳドメイン）にアクセスするための選好を判定する。
【０１６６】
第１のドメインにアクセスするための選好を判定することに応答して、ＵＥ１０２は、（５０４において）第１のアクセスネットワークを介してサービス要求メッセージを送信し、サービス要求メッセージは、表示を含む。表示は、第１のドメインにアクセスするための選好から導出される。
【０１６７】
表示を有するサービス要求メッセージを送信した後に、ＵＥ１０２は、（５０６において）第２のアクセスネットワークに登録することを試行し、第２のアクセスネットワークは、第１のドメインへのアクセスを可能にする第３のアクセスネットワークへのフォールバックを可能にするコアネットワークに接続する。
【０１６８】
いくつかの例において、選好の判定は、緊急表示を検知することに応答する。
【０１６９】
サービス要求メッセージは、例えば３ＧＰＰ  ＴＳ  ２４．５０１に従って、サービス種類情報要素（ｉｎｆｏｒｍａｔｉｏｎ  ｅｌｅｍｅｎｔ；ＩＥ）を含むＮＡＳメッセージであることができる。サービス種類ＩＥは、ドメイン選択から導出されるインジケータを含むことができる。インジケータ符号化の他の例が存在し得る。
【０１７０】
下記は、３ＧＰＰ  ＴＳ  ２４．５０１のセクションの修正を提供する（下線を引いたテキストは、新しい追加を表す）。
【０１７１】
３ＧＰＰ  ＴＳ  ２４．５０１：
９．１１．３．５０  サービス種類
サービス種類情報要素の目的は、サービス要求手順の目的を特定することである。
サービス種類は、種類１情報要素である。
サービス種類情報要素は、図９．１１．３．５０．１および表９．１１．３．５０．１において示されるようにコード化される。
【表９−１】
2021528886.tif 000008
【表９−２】
2021528886.tif 000009
【０１７２】
システムアーキテクチャ
【０１７３】
図６は、（アクセスネットワークまたはコアネットワークにおける）ＵＥまたはネットワークノードなどの無線ノード６００のブロック図である。
【０１７４】
無線ノード６００は、通信リンクを経由して通信するための通信インターフェース６０２を含む。通信インターフェース６０２は、無線インターフェースまたは有線インターフェースを含むことができる。
【０１７５】
無線ノード６００は、さらに、１つ以上のハードウェアプロセッサ６０４を含む。ハードウェアプロセッサは、マイクロプロセッサ、マルチコアマイクロプロセッサのコア、マイクロコントローラ、プログラム可能な集積回路、プログラム可能なゲートアレイ、デジタル信号プロセッサ、または別のハードウェア処理回路を含むことができる。
【０１７６】
無線ノード６００は、さらに、様々なタスクを実施するために１つ以上のハードウェアプロセッサ６０４上で実行可能な機械読取可能な命令を格納する、非一時的機械読取可能なまたはコンピューター読取可能な記憶媒体６０６を含む。機械読取可能な命令は、本明細書において論じられるような様々なタスクを実施するために、緊急サービス処理命令６０８を含むことができる。
【０１７７】
記憶媒体６０６は、以下のうちの任意のもの、または以下のうちのいくつかの組み合わせを含むことができる：ダイナミックランダムアクセスメモリまたはスタティックランダムアクセスメモリ（ＤＲＡＭまたはＳＲＡＭ）などの半導体メモリデバイス、消去可能およびプログラム可能な読取専用メモリ（ＥＰＲＯＭ）、電気的に消去可能およびプログラム可能な読取専用メモリ（ＥＥＰＲＯＭ）ならびにフラッシュメモリ；固定されたフロッピー（登録商標）リムーバルディスクなどの磁気ディスク；テープを含む別の磁気媒体；コンパクトディスク（ＣＤ）またはデジタルビデオディスク（ＤＶＤ）などの光学媒体；または、別の種類の記憶デバイス。上記で論じられた命令は、１つのコンピューター読取可能なまたは機械読取可能な記憶媒体上において提供されることができる、あるいは、場合により複数のノードを有する大きなシステムにおいて分布された複数のコンピューター読取可能なまたは機械読取可能な記憶媒体上において提供されることができることに留意されたい。そのような１つまたは複数のコンピューター読取可能なもしくは機械読取可能な記憶媒体は、品物（または製品）の一部であると考えられる。品物または製品は、任意の製造された単一の構成要素または複数の構成要素を指すことができる。１つまたは複数の記憶媒体は、機械読取可能な命令を作動させる機械において位置付けられることができる、または、実行のためのネットワークを経由して機械読取可能な命令がダウンロードされることができる遠隔地において位置付けられることができる。
【０１７８】
いくつかの実装に従って、第１のコアネットワークと第２のコアネットワークとへの二重登録が可能なＵＥは、以下のことを実施する：第１のアクセスネットワークを介した第１のコアネットワークへのＵＥの第１の登録の間に第１の表示を受信すること；第１の表示に基づいて、緊急サービスが第１のコアネットワークによってサポートされていないと判定すること；第２のアクセスネットワークを介した第２のコアネットワークへの第２の登録を試行すること；緊急表示を検知すること；および、第１のアクセスネットワークとは異なるアクセスネットワークを介した緊急表示に応答して、呼出を開始すること。
【０１７９】
さらなる例において、緊急サービスが第１のコアネットワークによってサポートされていないという第１の表示は、緊急サービスが第１のコアネットワークに接続されたアクセスネットワークによってサポートされていないという表示を含む。
【０１８０】
さらなる例において、第２の登録を試行することは、ＴＡＵ手順を回避する。
【０１８１】
さらなる例において、第２の登録を試行することは、アタッチ手順および組み合わせアタッチ手順のうちの１つを含む。
【０１８２】
さらなる例において、第２の登録を試行することは、第２のコアネットワークに対して、第２の登録が成功した後にさらなるＮＡＳメッセージを送るためにＵＥがＳ１  ＮＡＳシグナリング接続を使用する必要があり得るということを表示することと；第２の登録が成功したときにＳ１  ＮＡＳシグナリング接続を取得することとを含む。
【０１８３】
さらなる例において、ＵＥは、第２の登録を試行することに応答して、第２のコアネットワークが緊急（ベアラ）サービス（単数または複数）をサポートしないということを検知する。
【０１８４】
さらなる例において、第２のコアネットワークが緊急（ベアラ）サービス（単数または複数）をサポートしないということを検知することに応答して、ＵＥは、第２のアクセスネットワークとは異なるアクセスネットワークを介した緊急表示に応答して、呼出を開始する。
【０１８５】
さらなる例において、ＵＥは、第２の登録を試行することに応答して、ＵＥがＥＰＳサービスのみについて登録されることに成功したことを検知する。
【０１８６】
さらなる例において、ＵＥは、試行の前または判定の後に緊急サービスフォールバックを実施しない。
【０１８７】
さらなる例において、ＵＥは、第１の登録の間に受信された第２の表示に基づいて、緊急フォールバックが第１のコアネットワークに接続された少なくとも１つのアクセスによってサポートされていること、または、緊急フォールバックが第１のコアネットワークによってサポートされていないことのうちの１つを判定する。
【０１８８】
さらなる例において、ＵＥは、第１の登録の間に受信された第３の表示に基づいて、ＡＭＦを含む第１のコアネットワークとＭＭＥを含む第２のコアネットワークとの間におけるインターフェースを有さない相互連動がサポートされていること、または、ＡＭＦを含む第１のコアネットワークとＭＭＥを含む第２のコアネットワークとの間におけるインターフェースを有さない相互連動がサポートされていないことのうちの１つを判定する。
【０１８９】
さらなる例において、ＵＥは、ＥＰＳサービスまたはＣＳドメインへのフォールバックのうちの少なくとも１つを提供する第２のコアネットワークへの組み合わせ登録を試行することによって、第２の登録を試行する。
【０１９０】
さらなる例において、ＵＥは、回線交換ドメインへのフォールバックの要求を送信すること、ＳＥＴＵＰメッセージもしくはＥＭＥＲＧＥＮＣＹ  ＳＥＴＵＰメッセージを送信すること、または、緊急を表示する第１のＥＸＴＥＮＤＥＤ  ＳＥＲＶＩＣＥ  ＲＥＱＵＥＳＴメッセージもしくは緊急を表示しない第２のＥＸＴＥＮＤＥＤ  ＳＥＲＶＩＣＥ  ＲＥＱＵＥＳＴメッセージを送信することのうちの１つによって、緊急表示に応答した呼出を開始する。
【０１９１】
さらなる例において、ＵＥは、以下のことによって、緊急表示に応答した呼出を開始する：呼出のために選択されたドメインが回線交換ドメインであることに応答して、第２のコアネットワークにサービス要求メッセージを送信することであって、サービス要求メッセージは、第３のアクセスネットワークにフォールバックすることを要求する、ことと、呼出のために選択されたドメインがパケット交換ドメインであることに応答して、第２のアクセスネットワークを介した呼出を開始すること。
【０１９２】
さらなる例において、ＵＥは、以下のことのうちの１つ以上を含む第２の登録を試行する：第２のコアネットワークに第１のインジケータを提供することであって、第１のインジケータは、第２の登録が緊急のために試行されているということを表示する、こと、または、第２のコアネットワークに第２のインジケータを提供することであって、第２のインジケータは、第２のコアネットワークに対して、第１のコアネットワークにおける１つ以上の既存のプロトコルデータユニット（ＰＤＵ）セッションまたはパケットデータネットワーク（ＰＤＮ）接続が中断されるべきであるということを表示する、こと、または、第２のコアネットワークに第３のインジケータを提供することであって、第３のインジケータは、第２のコアネットワークに対して、第１のアクセスネットワークを介した第１のコアネットワークへの登録が終了されるべきであるということを表示する、こと、または、第２のコアネットワークに第４のインジケータを提供することであって、第４のインジケータは、第２のコアネットワークに対して、第１のアクセスネットワークを介した第１のコアネットワークへの登録が継続されるべきであるということを表示する、こと。
【０１９３】
さらなる例において、ＵＥは、以下のうちの１つの後に第１のコアネットワークのアクセスネットワークに戻る：呼出の前に確立されたＳＩＰ登録の解除であって、呼出は、ＳＩＰを使用することによって開始されたセッションを含む、解除；または、呼出についての、第２のコアネットワークを介したＰＤＮ接続の解除であって、呼出は、ＳＩＰを使用して開始されたセッションを含む、解除；または、呼出の終了。
【０１９４】
いくつかの様態において、ＵＥは、第１のドメインにアクセスするための選好を判定し；第１のドメインにアクセスするための選好を判定することに応答して、第１のアクセスネットワークを介して、第１のドメインにアクセスするための選好から導出された表示を含むサービス要求メッセージを送信し；表示を有するサービス要求メッセージを送信した後に、第２のアクセスネットワークに登録することを試行し、第２のアクセスネットワークは、第１のドメインへのアクセスを可能にする第３のアクセスネットワークへのフォールバックを可能にするコアネットワークに接続する。
【０１９５】
さらなる例において、判定することは、緊急表示に応答する。
【０１９６】
さらなる例において、第１のドメインは、回線交換ドメインである。
【０１９７】
上記の説明において、本明細書において開示された発明の理解を提供するために、多数の詳細が記載されている。しかし、実装は、それらの詳細のうちのいくつかを有さずに実践されてもよい。他の実装は、上記で論じられた詳細からの修正および変種を含み得る。添付された請求項がそのような修正および変種を含むことが意図されている。
【図１】
2021528886.tif 000010
【図２】
2021528886.tif 000011
【図３】
2021528886.tif 000012
【図４】
2021528886.tif 000013
【図５】
2021528886.tif 000014
【図６】
2021528886.tif 000015
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
第５世代（５Ｇ）コアネットワークに登録されたユーザー機器（ＵＥ）の方法であって、前記方法は、
緊急表示に応答して、前記緊急表示に応答する呼出を意図された第１のドメインを選択することと、
前記第１のドメインを選択した後に、前記５Ｇコアネットワークとは異なる第２のコアネットワークへの組み合わせ登録を試行することと、
前記組み合わせ登録を試行することに応答して、前記ＵＥがパケット交換サービスのみについて登録されているというさらなる表示を受信することと、
前記さらなる表示に応答して、第３のコアネットワークに接続されたアクセスネットワークを選択し、前記呼出を実施することであって、前記呼出を実施することは、前記ＵＥが、ＳＥＴＵＰメッセージまたはＥＭＥＲＧＥＮＣＹ  ＳＥＴＵＰメッセージを前記第３のコアネットワークに送信することによって、前記呼出を開始することを含み、前記ＳＥＴＵＰメッセージまたは前記ＥＭＥＲＧＥＮＣＹ  ＳＥＴＵＰメッセージは、前記呼出が回線交換ドメインにおける移動交換センター（ＭＳＣ）を使用することを表示する、ことと
を含む、方法。
【請求項２】
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、請求項１に記載の方法。
【請求項３】
前記さらなる表示は、前記ＵＥが前記第２のコアネットワークに登録されることに成功したことを表示する、請求項１に記載の方法。
【請求項４】
前記第３のコアネットワークに接続された前記アクセスネットワークの選択は、前記回線交換ドメインへのフォールバックを使用することを回避する、請求項１に記載の方法。
【請求項５】
前記第２のコアネットワークは、パケット交換サービスまたは前記回線交換ドメインへのフォールバックのうちの少なくとも１つを提供する、請求項１に記載の方法。
【請求項６】
前記第１のドメインは、パケット交換ドメインであり、
前記ＵＥは、前記第２のコアネットワークが緊急ベアラサービス（単数または複数）をサポートしないということを判定し、
前記ＵＥは、前記第３のコアネットワークの前記回線交換ドメインを使用して、前記呼出を実施する、請求項１に記載の方法。
【請求項７】
前記第１のドメインは、回線交換ドメインである、請求項１に記載の方法。
【請求項８】
前記選択されたアクセスネットワークは、前記回線交換ドメインへのアクセスを提供する、請求項１に記載の方法。
【請求項９】
前記さらなる表示は、前記第２のコアネットワークから受信される、請求項１に記載の方法。
【請求項１０】
前記ＵＥは、前記５Ｇコアネットワークのアクセスおよび移動性管理機能（ＡＭＦ）に登録される、請求項１に記載の方法。
【請求項１１】
前記選択されたアクセスネットワークは、ユニバーサル移動通信サービス（ＵＭＴＳ）地上波無線アクセスネットワーク（ＵＴＲＡＮ）、またはＧＳＭ（登録商標）進化用ＧＳＭ（登録商標）向上データ速度（ＧＳＭ  ＥＤＧＥ）無線アクセスネットワーク（ＧＥＲＡＮ）を含む、請求項１に記載の方法。
【請求項１２】
前記ＵＥは、非アクセスストラタム（ＮＡＳ）手順を使用して前記５Ｇコアネットワークに登録され、前記第２のコアネットワークへ試行された前記組み合わせ登録は、ＮＡＳ組み合わせ登録であり、前記ＵＥによって受信された前記さらなる表示は、ＮＡＳメッセージに含まれる、請求項１に記載の方法。
【請求項１３】
ユーザー機器（ＵＥ）であって、前記ＵＥは、
プロセッサと、
命令を格納する非一時的記憶媒体と
を含み、
前記命令は、
第５世代（５Ｇ）コアネットワークに登録することと、
緊急表示に応答して、前記緊急表示に応答する呼出を意図された第１のドメインを選択することと、
前記第１のドメインを選択した後に、前記ＵＥが登録されている前記５Ｇコアネットワークとは異なる第２のコアネットワークへの組み合わせ登録を試行することと、
前記組み合わせ登録を試行することに応答して、前記ＵＥがパケット交換サービスのみについて登録されているというさらなる表示を受信することであって、前記さらなる表示は、前記第２のコアネットワークからのメッセージに含まれる、ことと、
前記ＵＥがパケット交換サービスのみについて登録されているという前記さらなる表示に応答して、第３のコアネットワークに接続されたアクセスネットワークを選択し、前記呼出を実施することであって、前記呼出を実施することは、ＳＥＴＵＰメッセージまたはＥＭＥＲＧＥＮＣＹ  ＳＥＴＵＰメッセージを前記第３のコアネットワークに送信することによって、前記呼出を開始することを含み、前記ＳＥＴＵＰメッセージまたは前記ＥＭＥＲＧＥＮＣＹ  ＳＥＴＵＰメッセージは、前記呼出が回線交換ドメインにおける移動交換センター（ＭＳＣ）を使用することを表示する、ことと
を行うように前記プロセッサ上において実行可能である、ＵＥ。
【請求項１４】
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、請求項１３に記載のＵＥ。
【請求項１５】
前記ＵＥがＥＰＳサービスのみについて登録されていることは、前記ＵＥがＥＰＳサービスのみについてアタッチされていること、および、前記ＵＥによって試行された組み合わせトラッキングエリア更新がＥＰＳサービスのみについて成功していることのうちの１つを含む、請求項１４に記載のＵＥ。
【請求項１６】
前記さらなる表示は、前記ＵＥが前記第２のコアネットワークに登録されることに成功したことを表示する、請求項１３に記載のＵＥ。
【請求項１７】
前記第３のコアネットワークに接続された前記アクセスネットワークを選択することは、前記回線交換ドメインへのフォールバックを使用することを回避する、請求項１３に記載のＵＥ。
【請求項１８】
前記第２のコアネットワークは、パケット交換サービスまたは前記回線交換ドメインへのフォールバックのうちの少なくとも１つを提供する、請求項１３に記載のＵＥ。
【請求項１９】
前記選択されたアクセスネットワークは、ユニバーサル移動通信サービス（ＵＭＴＳ）地上波無線アクセスネットワーク（ＵＴＲＡＮ）、またはＧＳＭ（登録商標）進化用ＧＳＭ（登録商標）向上データ速度（ＧＳＭ  ＥＤＧＥ）無線アクセスネットワーク（ＧＥＲＡＮ）を含む、請求項１３に記載のＵＥ。
【請求項２０】
前記命令は、非アクセスストラタム（ＮＡＳ）手順を使用して前記ＵＥを前記５Ｇコアネットワークに登録するように前記プロセッサ上で実行可能であり、前記第２のコアネットワークへ試行された前記組み合わせ登録は、ＮＡＳ組み合わせ登録であり、前記ＵＥによって受信された前記さらなる表示は、ＮＡＳメッセージに含まれる、請求項１３に記載のＵＥ。
【請求項２１】
前記組み合わせ登録を試行することは、組み合わせアタッチの試行、および、組み合わせトラッキングエリア更新の試行のうちの１つを含む、請求項１３に記載のＵＥ。
【請求項２２】
命令を含む非一時的機械読取可能な記憶媒体であって、前記命令は、実行されると、ユーザー機器（ＵＥ）に、
非アクセスストラタム（ＮＡＳ）手順を使用して、第５世代（５Ｇ）コアネットワークに登録することと、
緊急表示に応答して、前記緊急表示に応答する呼出を意図された第１のドメインを選択することと、
前記第１のドメインを選択した後に、前記ＵＥが登録されている前記５Ｇコアネットワークとは異なる第２のコアネットワークへのＮＡＳ組み合わせ登録を試行することと、
前記ＮＡＳ組み合わせ登録を試行することに応答して、前記ＵＥがパケット交換サービスのみについて登録されているというさらなる表示を受信することであって、前記さらなる表示は、ＮＡＳメッセージに含まれる、ことと、
前記ＵＥがパケット交換サービスのみについて登録されているという前記さらなる表示に応答して、第３のコアネットワークに接続されたアクセスネットワークを選択し、前記呼出を実施することであって、前記呼出を実施することは、ＳＥＴＵＰメッセージまたはＥＭＥＲＧＥＮＣＹ  ＳＥＴＵＰメッセージを前記第３のコアネットワークに送信することによって、前記呼出を開始することを含み、前記ＳＥＴＵＰメッセージまたは前記ＥＭＥＲＧＥＮＣＹ  ＳＥＴＵＰメッセージは、前記呼出が回線交換ドメインにおける移動交換センター（ＭＳＣ）を使用することを表示する、ことと
を行わせる、非一時的機械読取可能な記憶媒体。
【請求項２３】
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、請求項２２に記載の非一時的機械読取可能な記憶媒体。
【請求項２４】
前記選択されたアクセスネットワークは、ユニバーサル移動通信サービス（ＵＭＴＳ）地上波無線アクセスネットワーク（ＵＴＲＡＮ）、またはＧＳＭ（登録商標）進化用ＧＳＭ（登録商標）向上データ速度（ＧＳＭ  ＥＤＧＥ）無線アクセスネットワーク（ＧＥＲＡＮ）を含む、請求項２２に記載の非一時的機械読取可能な記憶媒体。
【手続補正２】
【補正対象書類名】明細書
【補正対象項目名】００１９
【補正方法】変更
【補正の内容】
【００１９】
登録は、ＩＭＳへの、ＥＰＣもしくはＥＰＳへの、または５ＧＣもしくは５ＧＳへの登録を指す。ＩＭＳへの登録は、ＳＩＰ  ＲＥＧＩＳＴＥＲ要求メッセージをネットワークに送信することを伴う。あるいは、登録は、５ＧＳ非アクセスストラタム（ｎｏｎ−ａｃｃｅｓｓ  ｓｔｒａｔｕｍ；ＮＡＳ）登録手順またはＥＰＣ  ＮＡＳ登録手順を含むことができる。ＮＡＳ登録手順は、５ＧＳまたはＥＰＳなどの移動通信システムへのアクセスを獲得するために、ＵＥによって実施される。ＥＰＣ、ＥＰＳ、５ＧＣ、または５ＧＳへの登録は、初期登録または周期的もしくは後続登録を伴う。ＥＰＣまたはＥＰＳへの初期登録は、ＡＴＴＡＣＨ  ＲＥＱＵＥＳＴメッセージをネットワークに送信することを伴うアタッチ手順を伴う。ＥＰＣまたはＥＰＳへの周期的もしくは後続登録は、ＴＡＵ  ＲＥＱＵＥＳＴメッセージをネットワークに送信することを伴うトラッキングエリア更新（ｔｒａｃｋｉｎｇ  ａｒｅａ  ｕｐｄａｔｅ；ＴＡＵ）手順を伴う。５ＧＣもしくは５ＧＳへの初期登録、周期的または後続登録は、ＲＥＧＩＳＴＲＡＴＩＯＮ  ＲＥＱＵＥＳＴメッセージをネットワークに送信することを伴う。
本発明は、例えば、以下を提供する。
（項目１）
第５世代（５Ｇ）コアネットワークに登録されたユーザー機器（ＵＥ）の方法であって、前記方法は、
緊急表示に応答して、前記緊急表示に応答する呼出を意図された第１のドメインを選択することと、
前記第１のドメインを選択した後に、前記５Ｇコアネットワークとは異なる第２のコアネットワークへの組み合わせ登録を試行することと、
前記組み合わせ登録を試行することに応答して、前記ＵＥがパケット交換サービスのみについて登録されているというさらなる表示を受信することと、
前記さらなる表示に応答して、第３のコアネットワークに接続されたアクセスネットワークを選択し、前記呼出を実施することと
を含む、方法。
（項目２）
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、項目１に記載の方法。
（項目３）
前記さらなる表示は、前記ＵＥが前記第２のコアネットワークに登録されることに成功したことを表示するメッセージを含む、項目１に記載の方法。
（項目４）
前記第３のコアネットワークに接続された前記アクセスネットワークを選択することは、前記第１のドメインへのフォールバックを使用することを回避する、項目１に記載の方法。
（項目５）
前記第２のコアネットワークは、パケット交換サービスまたは前記第１のドメインへのフォールバックのうちの少なくとも１つを提供する、項目１に記載の方法。
（項目６）
前記第１のドメインは、パケット交換ドメインであり、
前記ＵＥは、前記第２のコアネットワークが緊急（ベアラ）サービス（単数または複数）をサポートしないということを判定し、
前記ＵＥは、前記第３のコアネットワークの回線交換ドメインを使用して、前記呼出を実施する、項目１に記載の方法。
（項目７）
前記第１のドメインは、回線交換ドメインである、項目１に記載の方法。
（項目８）
前記選択されたアクセスネットワークは、前記第１のドメインへのアクセスを提供する、項目１に記載の方法。
（項目９）
前記さらなる表示は、前記第２のコアネットワークのコアネットワークノードから受信される、項目１に記載の方法。
（項目１０）
前記ＵＥは、前記５Ｇコアネットワークのアクセスおよび移動性管理機能（ＡＭＦ）に登録される、項目１に記載の方法。
（項目１１）
前記選択されたアクセスネットワークは、ユニバーサル移動通信サービス（ＵＭＴＳ）地上波無線アクセスネットワーク（ＵＴＲＡＮ）、またはＧＳＭ（登録商標）進化用ＧＳＭ（登録商標）向上データ速度（ＧＳＭ  ＥＤＧＥ）無線アクセスネットワーク（ＧＥＲＡＮ）を含む、項目１に記載の方法。
（項目１２）
前記ＵＥが、ＳＥＴＵＰメッセージまたはＥＭＥＲＧＥＮＣＹ  ＳＥＴＵＰメッセージを送信することによって、前記呼出を開始することをさらに含み、前記ＳＥＴＵＰメッセージまたは前記ＥＭＥＲＧＥＮＣＹ  ＳＥＴＵＰメッセージは、前記第１のドメインにおける移動交換センター（ＭＳＣ）を使用する前記呼出を表示するためのものである、項目１に記載の方法。
（項目１３）
ユーザー機器（ＵＥ）であって、前記ＵＥは、
プロセッサと、
非一時的記憶媒体と
を含み、
前記非一時的記憶媒体は、
緊急表示に応答して、前記緊急表示に応答する呼出を意図された第１のドメインを選択することと、
前記第１のドメインを選択した後に、５Ｇコアネットワークとは異なる第２のコアネットワークへの組み合わせ登録を試行することと、
前記組み合わせ登録を試行することに応答して、前記ＵＥがパケット交換サービスのみについて登録されているというさらなる表示を受信することと、
前記さらなる表示に応答して、第３のコアネットワークに接続されたアクセスネットワークを選択し、前記呼出を実施することと
を前記プロセッサ上において実行可能である、ＵＥ。
（項目１４）
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、項目１３に記載のＵＥ。
（項目１５）
前記さらなる表示は、前記ＵＥが前記第２のコアネットワークに登録されることに成功したことを表示するメッセージを含む、項目１３に記載のＵＥ。
（項目１６）
前記第３のコアネットワークに接続された前記アクセスネットワークを選択することは、前記第１のドメインへのフォールバックを使用することを回避する、項目１３に記載のＵＥ。
（項目１７）
前記第２のコアネットワークは、パケット交換サービスまたは前記第１のドメインへのフォールバックのうちの少なくとも１つを提供する、項目１３に記載のＵＥ。
（項目１８）
前記選択されたアクセスネットワークは、ユニバーサル移動通信サービス（ＵＭＴＳ）地上波無線アクセスネットワーク（ＵＴＲＡＮ）、またはＧＳＭ（登録商標）進化用ＧＳＭ（登録商標）向上データ速度（ＧＳＭ  ＥＤＧＥ）無線アクセスネットワーク（ＧＥＲＡＮ）を含む、項目１３に記載のＵＥ。
（項目１９）
命令を含む非一時的機械読取可能な記憶媒体であって、前記命令は、実行されると、ユーザー機器（ＵＥ）に、
緊急表示に応答して、前記緊急表示に応答する呼出を意図された第１のドメインを選択することと、
前記第１のドメインを選択した後に、５Ｇコアネットワークとは異なる第２のコアネットワークへの組み合わせ登録を試行することと、
前記組み合わせ登録を試行することに応答して、前記ＵＥがパケット交換サービスのみについて登録されているというさらなる表示を受信することと、
前記さらなる表示に応答して、第３のコアネットワークに接続されたアクセスネットワークを選択し、前記呼出を実施することと
を行わせる、非一時的機械読取可能な記憶媒体。
（項目２０）
前記第２のコアネットワークは、進化型パケットシステム（ＥＰＳ）の進化型パケットコア（ＥＰＣ）であり、前記ＵＥがパケット交換サービスのみについて登録されていることは、前記ＵＥがＥＰＳサービスのみについて登録されていることを含む、項目１９に記載の非一時的機械読取可能な記憶媒体。
【国際調査報告】
2021528886.tif 000016
2021528886.tif 000017
2021528886.tif 000018